(57)【要約】【課題】可逆熱変色性組成物を提供すること。【解決手段】本発明は、少なくとも１種の酸性水素及び塩基を有するβ−フェニルビニルケトン又はω−フェニルポリアセチレニルケトンを含む可逆熱変色性系及び可逆熱変色性系と１種のキャリア材料を含む可逆熱変色性組成物及び少なくとも１種の酸性水素を有する新規な置換されたβ−フェニルビニルケトン又はω−フェニルポリアセチレニルケトンに関する。【選択図】なし【特許請求の範囲】
【請求項１】
（ａ）少なくとも１種の酸性水素を含有するβ−フェニルビニルケトン又はω−フェニルポリアセチレニルケトン及び
（ｂ）塩基
を含む可逆熱変色性系であって、但し該系は本質的にチモールブルーを含まない可逆熱変色性系。
【請求項２】
但し前記系が本質的にフタレイン誘導体を含まない、請求項１記載の可逆熱変色性系。
【請求項３】
前記成分（ａ）が式（Ｉ）
【化１】
2009525357.tif 000051
（式中、
Ｘは、
【化２】
2009525357.tif 000052
又はＣＨＲ7−ＣＯ−Ｒ8を表し、又はＸは炭素原子数１ないし３０のアルキル基、炭素原子数２ないし３０のアルケニル基、炭素原子数２ないし３０のアルキニル基、炭素原子数７ないし１２のアリール基、炭素原子数７ないし１２のアラルキル基、炭素原子数８ないし１２のアラルケニル基、炭素原子数８ないし１２のアラルキニル基、それらの各々は未置換であるか又は置換され、
ｎは１ないし１０の整数を表し、
Ｒ及びＲ’は独立して、水素原子、炭素原子数１ないし３０のアルキル基、炭素原子数２ないし３０のアルケニル基、炭素原子数２ないし３０のアルキニル基、炭素原子数６ないし１２のアリール基、炭素原子数７ないし１２のアラルキル基、炭素原子数８ないし１２のアラルケニル基又は炭素原子数８ないし１２のアラルキニル基を表し、
Ｒ1、Ｒ2、Ｒ2’、Ｒ3、Ｒ3’、Ｒ4、Ｒ5、Ｒ5’、Ｒ6及びＲ6’は独立して、水素原子、ヒドロキシ基、炭素原子数１ないし３０のアルキル基、炭素原子数２ないし３０のアルケニル基、炭素原子数２ないし３０のアルキニル基、炭素原子数６ないし１２のアリール基、炭素原子数７ないし１２のアラルキル基、炭素原子数８ないし１２のアラルケニル基、炭素原子数８ないし１２のアラルキニル基、ハロゲン原子、ＮＯ2、ＣＮ、ＮＲ9Ｒ10、ＯＲ11、ＳＲ11、Ｓ（＝Ｏ）Ｒ11、  Ｓ（＝Ｏ）2Ｒ11、ＣＯ−Ｒ11、ＣＯ−Ｏ−Ｒ11、Ｏ
−ＣＯ−Ｒ11、ＣＯ−ＮＲ9Ｒ10又はＮＲ9−ＣＯ−Ｒ11を表し、 該アルキル基、アルケ
ニル基、アルキニル基、アリール基、アラルキル基、アラルケニル基及びアラルキニル基は置換されるか又は未置換であり、
Ｒ7、Ｒ9及びＲ10は独立して、Ｈ又はＲ8に対して定義される通りであり、
Ｒ8及びＲ11は独立して、炭素原子数１ないし３０のアルキル基、炭素原子数２ないし３
０のアルケニル基、炭素原子数２ないし３０のアルキニル基、炭素原子数６ないし１０の
アリール基、炭素原子数７ないし１２のアラルキル基、炭素原子数８ないし１２のアラルケニル基、炭素原子数８ないし１２のアラルキニル基を表し、該アルキル基、アルケニル基、アルキニル基、アリール基、アラルキル基、アラルケニル基及びアラルキニル基は置換されるか又は未置換であり、
該置換されたアルキル基、アルケニル基、アルキニル基、アリール基、アラルキル基、アラルケニル基及びアラルキニル基は、ハロゲン原子、ヒドロキシ基、ＮＯ2、ＣＮ、ＣＯ
−Ｒ12、ＣＯＯ−Ｒ12、ＣＯＮＲ13Ｒ14、ＯＣＯ−Ｒ12、ＮＲ13ＣＯ−Ｒ12、ＮＲ13Ｒ14、Ｏ−Ｒ12、Ｓ−Ｒ12、Ｓ（＝Ｏ）−Ｒ12及び／又はＳ（＝Ｏ）2−Ｒ12によって置換さ
れ、又は該置換されたアリール基、アラルキル基、アラルケニル基及びアラルキニル基は炭素原子数１ないし３０のアルキル基、炭素原子数２ないし３０のアルケニル基及び／又は炭素原子数２ないし３０のアルキニル基によって置換され、
Ｒ12は独立して、炭素原子数１ないし３０のアルキル基、炭素原子数２ないし３０のアルケニル基、炭素原子数２ないし３０のアルキニル基、炭素原子数６ないし１２のアリール基、炭素原子数７ないし１２のアラルキル基、炭素原子数８ないし１２のアラルケニル基又は炭素原子数８ないし１２のアラルキニル基を表し、
Ｒ13及びＲ14は独立してＨ又はＲ12に対して定義される通りであり、
但し、Ｒ1、Ｒ3、Ｒ3’、Ｒ4、Ｒ6及びＲ6’のうち少なくとも１つがヒドロキシ基を表すか、又はＸがＣＨＲ7−ＣＯ−Ｒ8を表すか；或いはＲ1、Ｒ3、Ｒ3’、Ｒ4、Ｒ6及びＲ6’のうち少なくとも１つがヒドロキシ基を表すか及びＸがＣＨＲ7−ＣＯ−Ｒ8を表す。）で表される化合物である、請求項１記載の可逆熱変色性系。
【請求項４】
前記Ｒ1及び／又はＲ4がヒドロキシ基である、請求項３記載の可逆熱変色性系。
【請求項５】
前記式中、
Ｘは、
【化３】
2009525357.tif 000053
又はＣＨＲ7−ＣＯ−Ｒ8を表し、又はＸは炭素原子数１ないし３０のアルキル基、炭素原子数２ないし３０のアルケニル基、炭素原子数２ないし３０のアルキニル基、炭素原子数７ないし１２のアリール基、炭素原子数７ないし１２のアラルキル基、炭素原子数８ないし１２のアラルケニル基、炭素原子数８ないし１２のアラルキニル基、それらの各々は未置換であるか又は置換され、
ｎは１ないし２の整数を表し、
Ｒ及びＲ’は独立して、水素原子又は炭素原子数１ないし３０のアルキル基を表し、
Ｒ1、Ｒ2、Ｒ2’、Ｒ3、Ｒ3’、Ｒ4、Ｒ5、Ｒ5’、Ｒ6及びＲ6’は独立して、水素原子、ヒドロキシ基、炭素原子数１ないし３０のアルキル基、炭素原子数２ないし３０のアルケニル基、炭素原子数２ないし３０のアルキニル基、炭素原子数６ないし１２のアリール基、炭素原子数７ないし１２のアラルキル基、炭素原子数８ないし１２のアラルケニル基、炭素原子数８ないし１２のアラルキニル基、ハロゲン原子、ＮＯ2、ＮＲ9Ｒ10、ＯＲ11、ＣＯ−Ｒ11、ＣＯ−Ｏ−Ｒ11、Ｏ−ＣＯ−Ｒ11、ＣＯ−ＮＲ9Ｒ10又はＮＲ9−ＣＯ−Ｒ11を表し、 該アルキル基、アルケニル基、アルキニル基、アリール基、アラルキル基、ア
ラルケニル基及びアラルキニル基は置換されるか又は未置換であり、
Ｒ7、Ｒ9及びＲ10は独立して、Ｈ又はＲ8に対して定義される通りであり、
Ｒ8及びＲ11は独立して、炭素原子数１ないし３０のアルキル基、炭素原子数２ないし３
０のアルケニル基、炭素原子数２ないし３０のアルキニル基、炭素原子数６ないし１０の
アリール基、炭素原子数７ないし１２のアラルキル基、炭素原子数８ないし１２のアラルケニル基、炭素原子数８ないし１２のアラルキニル基を表し、該アルキル基、アルケニル基、アルキニル基、アリール基、アラルキル基、アラルケニル基及びアラルキニル基は置換されるか又は未置換であり、
該置換されたアルキル基、アルケニル基、アルキニル基、アリール基、アラルキル基、アラルケニル基及びアラルキニル基は、ハロゲン原子、ヒドロキシ基、ＮＯ2、ＣＯ−Ｒ12
、ＣＯＯ−Ｒ12、ＣＯＮＲ13Ｒ14、ＯＣＯ−Ｒ12、ＮＲ13ＣＯ−Ｒ12、ＮＲ13Ｒ14及び／又はＯ−Ｒ12によって置換され、又は該置換されたアリール基、アラルキル基、アラルケニル基及びアラルキニル基は炭素原子数１ないし３０のアルキル基、炭素原子数２ないし３０のアルケニル基及び／又は炭素原子数２ないし３０のアルキニル基によって置換され、
Ｒ12は独立して、炭素原子数１ないし３０のアルキル基、炭素原子数２ないし３０のアルケニル基、炭素原子数２ないし３０のアルキニル基、炭素原子数６ないし１２のアリール基、炭素原子数７ないし１２のアラルキル基、炭素原子数８ないし１２のアラルケニル基又は炭素原子数８ないし１２のアラルキニル基を表し、
Ｒ13及びＲ14は、独立してＨ又はＲ12に対して定義される通りである、請求項３記載の可逆熱変色性系。
【請求項６】
前記式中、
Ｘは、
【化４】
2009525357.tif 000054
又はＣＨＲ7−ＣＯ−Ｒ8を表し、又はＸは炭素原子数１ないし５のアルキル基又はナフチル基を表し、又はＸは置換された炭素原子数８のアラルケニル基を表し、
ｎは１を表し、
Ｒ及びＲ’は水素原子を表し、
Ｒ1、Ｒ2、Ｒ2’、Ｒ3、Ｒ3’、Ｒ4、Ｒ5、Ｒ5’、Ｒ6及びＲ6’は独立して、水素原子、ヒドロキシ基、ハロゲン原子、ＮＯ2、ＮＲ9Ｒ10、ＯＲ11又はＣＯ−Ｒ11を表し、
Ｒ7はＨを表し、
Ｒ9及びＲ10は独立してＨ又はＲ8に対して定義される通りであり、
Ｒ8及びＲ11は独立して、炭素原子数１ないし５のアルキル基又は炭素原子数８のアラル
ケニル基を表し、該アルキル基及びアラルケニル基は置換されるか又は未置換であり、
該置換されたアルキル基、アリール基及びアラルケニル基は、ヒドロキシ基、ＮＯ2及び
／又はＯ−Ｒ12によって置換され、
Ｒ12は、炭素原子数１ないし５のアルキル基を表す、
請求項３記載の可逆熱変色性系。
【請求項７】
前記式中、
Ｘは、
【化５】
2009525357.tif 000055
又はＣＨＲ7−ＣＯ−Ｒ8を表し、又はＸはメチル基又はナフチル基を表し、又はＸは置換された炭素原子数８のアラルケニル基を表し、
ｎは１を表し、
Ｒ及びＲ’は水素原子を表し、
Ｒ1、Ｒ2、Ｒ2’、Ｒ4、Ｒ5及びＲ5’は独立して、水素原子、ヒドロキシ基、塩素原子、ＮＯ2、ＮＲ9Ｒ10、ＯＲ11又はＣＯ−Ｒ11を表し、
Ｒ3、Ｒ3’、Ｒ6及びＲ6’は、水素原子を表し、
Ｒ7はＨを表し、
Ｒ9及びＲ10は独立してＲ8に対して定義される通りであり、
Ｒ8及びＲ11は独立して、メチル基又は置換された炭素原子数８のアラルケニル基を表し
、
該置換されたアラルケニル基は、ヒドロキシ基、ＮＯ2及び／又はＯ−Ｒ12によって置換
され、
Ｒ12は、メチル基を表す、
請求項３記載の可逆熱変色性系。
【請求項８】
前記塩基（ｂ）が１モルにつき少なくとも１５０ｇのモル質量を有する、請求項１記載の可逆熱変色性系。
【請求項９】
前記塩基（ｂ）が、第二級もしくは第三級アミン又は第二級もしくは第三級ホスフィンであり、前記アミン及び前記ホスフィンは芳香族でなく、及び前記アミン又は前記ホスフィンに直接結合する芳香族置換基を有さない、請求項１記載の可逆熱変色性系。
【請求項１０】
前記塩基（ｂ）が第二級立体障害性アミンである、請求項１記載の可逆熱変色性系。
【請求項１１】
前記成分（ａ）と（ｂ）の比が、質量で２：１ないし１：１００である、請求項１記載の可逆熱変色性系。
【請求項１２】
前記成分（ａ）と（ｂ）の比が、質量で１：３ないし１：６である、請求項１記載の可逆熱変色性系。
【請求項１３】
付加的に（ｉｉ）キャリア材料を含有する、請求項１記載の可逆熱変色性系。
【請求項１４】
付加的に（ｉｉ）キャリア材料を含有し、成分（ａ）及び（ｂ）の合計と成分（ｉｉ）の比が質量で１：１０００ないし１：５である、請求項１記載の可逆熱変色性系。
【請求項１５】
式（ＩＩ）ないし（ＶＩ）で表される化合物又はそれらの互変異性体の１種
【化６】
2009525357.tif 000056
【化７】
2009525357.tif 000057
（式中、
Ｒ、Ｒ’、Ｒ1、Ｒ2、Ｒ2’、Ｒ3、Ｒ3’、Ｒ4、Ｒ5、Ｒ5’、Ｒ6、Ｒ6’、Ｒ7、  Ｒ8、Ｘ及びｎは、請求項３において定義される通りであり、及び
Ｍ+は、アンモニウムカチオン又はホスホニウムカチオンを表し、
但し、
（１）前記アンモニウムカチオン又は前記ホスホニウムカチオンは、芳香族ではなく、及び前記アンモニウムカチオン又は前記ホスホニウムカチオンに直接結合する芳香族置換基を有さず、及び
（２）Ｍ+は、ホスファチジルコリン+とは異なる。）。
【請求項１６】
前記Ｍ+が、１モルにつき少なくとも１５０ｇの分子量を有する、請求項１５記載の化合
物。
【請求項１７】
前記Ｍ+が、第二級もしくは第三級アンモニウムカチオン又は第二級もしくは第三級ホス
ホニウムカチオンである、請求項１５記載の化合物。
【請求項１８】
（ｉ）請求項１５において定義される式（ＩＩ）ないし（ＶＩ）で表される化合物又はそれらの互変異性体の１種、及び
（ｉｉ）キャリア材料
を含む可逆熱変色性組成物。
【請求項１９】
成分（ｉ）と成分（ｉｉ）の比が、質量で１：１０００ないし１：５である、請求項１８記載の可逆熱変色性組成物。
【請求項２０】
前記キャリア材料（ｉｉ）としてポリマー、溶媒及び／又はワックスを含む、請求項１８記載の可逆熱変色性組成物。
【請求項２１】
キャリア材料（ｉｉ）として、プラスチック製品、フィルム、紙、繊維、溶媒、ワックス、コーティング及び／又はインクを含む、請求項１８記載の可逆熱変色性組成物。
【請求項２２】
更なる添加剤を含む、請求項１８記載の可逆熱変色性組成物。
【請求項２３】
更なる添加剤として、抗酸化剤、ＵＶ吸収剤、光安定剤、金属奪活剤、加工安定剤、チオ相乗剤、過酸化物捕捉剤、酸素捕捉剤、塩基性補助安定剤、核剤、充填材、強化剤、防炎加工剤、蛍光増白剤及び／又は付加的な着色剤を含み、
但し、前記付加的な着色剤は熱変色性効果を抑制せず及び遮へいしない請求項２２記載の可逆熱変色性組成物。
【請求項２４】
更なる添加剤として、フェノール系抗酸化剤、アミン系抗酸化剤、ホスフィット、ホスホナイト、ヒドロキシルアミン、ニトロン、ベンゾフラノン、インドリノン、２−（２−ヒドロキシルフェニル）ベンゾトリアゾール、２−ヒドロキシベンゾフェノン、２−（２−ヒドロキシフェニル）−１，３，５−トリアジン、オキサミド、立体障害性アミン、顔料及び／又は染料を含む、請求項２２記載の可逆熱変色性組成物。
【請求項２５】
少なくとも１種の酸性水素を含有するβ−フェニルビニルケトンと塩基の組み合わせ又は少なくとも１種の酸性水素を含有するω−フェニルポリアセチレニルケトンと塩基の組み合わせ又は請求項１５において定義される式（ＩＩ）ないし（ＶＩ）で表される化合物もしくはその互変異性体の１種の、可逆熱変色性着色剤としての使用。
【請求項２６】
少なくとも１種の酸性水素を含有するβ−フェニルビニルケトンと塩基の組み合わせ又は少なくとも１種の酸性水素を含有するω−フェニルポリアセチレニルケトンと塩基の組み合わせ又は請求項１５において定義される式（ＩＩ）ないし（ＶＩ）で表される化合物もしくはその互変異性体の１種をキャリアに適用すること／配合することによってキャリアを可逆熱変色性的に着色するための方法。
【請求項２７】
式（Ｉ）
【化８】
2009525357.tif 000058
（式中、
Ｘは、
【化９】
2009525357.tif 000059
又はＣＨＲ7−ＣＯ−Ｒ8を表し、又はＸは炭素原子数１ないし３０のアルキル基、炭素原子数２ないし３０のアルケニル基、炭素原子数２ないし３０のアルキニル基、炭素原子数７ないし１２のアリール基、炭素原子数７ないし１２のアラルキル基、炭素原子数８ないし１２のアラルケニル基、炭素原子数８ないし１２のアラルキニル基、それらの各々は未置換であるか又は置換され、
ｎは１ないし１０の整数を表し、
Ｒ及びＲ’は独立して、水素原子、炭素原子数１ないし３０のアルキル基、炭素原子数２ないし３０のアルケニル基、炭素原子数２ないし３０のアルキニル基、炭素原子数６ないし１２のアリール基、炭素原子数７ないし１２のアラルキル基、炭素原子数８ないし１２のアラルケニル基又は炭素原子数８ないし１２のアラルキニル基を表し、
Ｒ1、Ｒ2、Ｒ2’、Ｒ3、Ｒ3’、Ｒ4、Ｒ5、Ｒ5’、Ｒ6及びＲ6’は独立して、水素原子、ヒドロキシ基、炭素原子数１ないし３０のアルキル基、炭素原子数２ないし３０のアルケニル基、炭素原子数２ないし３０のアルキニル基、炭素原子数６ないし１２のアリール基、炭素原子数７ないし１２のアラルキル基、炭素原子数８ないし１２のアラルケニル基、炭素原子数８ないし１２のアラルキニル基、ハロゲン原子、ＮＯ2、ＣＮ、ＮＲ9Ｒ10、ＯＲ11、ＳＲ11、Ｓ（＝Ｏ）Ｒ11、  Ｓ（＝Ｏ）2Ｒ11、ＣＯ−Ｒ11、ＣＯ−Ｏ−Ｒ11、Ｏ
−ＣＯ−Ｒ11、ＣＯ−ＮＲ9Ｒ10又はＮＲ9−ＣＯ−Ｒ11を表し、 該アルキル基、アルケ
ニル基、アルキニル基、アリール基、アラルキル基、アラルケニル基及びアラルキニル基は置換されるか又は未置換であり、
Ｒ7、Ｒ9及びＲ10は独立して、Ｈ又はＲ8に対して定義される通りであり、
Ｒ8及びＲ11は独立して、炭素原子数１ないし３０のアルキル基、炭素原子数２ないし３
０のアルケニル基、炭素原子数２ないし３０のアルキニル基、炭素原子数６ないし１０のアリール基、炭素原子数７ないし１２のアラルキル基、炭素原子数８ないし１２のアラルケニル基、炭素原子数８ないし１２のアラルキニル基を表し、該アルキル基、アルケニル基、アルキニル基、アリール基、アラルキル基、アラルケニル基及びアラルキニル基は置換されるか又は未置換であり、
該置換されたアルキル基、アルケニル基、アルキニル基、アリール基、アラルキル基、アラルケニル基及びアラルキニル基は、ハロゲン原子、ヒドロキシ基、ＮＯ2、ＣＮ、ＣＯ
−Ｒ12、ＣＯＯ−Ｒ12、ＣＯＮＲ13Ｒ14、ＯＣＯ−Ｒ12、ＮＲ13ＣＯ−Ｒ12、ＮＲ13Ｒ14、Ｏ−Ｒ12、Ｓ−Ｒ12、Ｓ（＝Ｏ）−Ｒ12及び／又はＳ（＝Ｏ）2−Ｒ12によって置換さ
れ、又は該置換されたアリール基、アラルキル基、アラルケニル基及びアラルキニル基は炭素原子数１ないし３０のアルキル基、炭素原子数２ないし３０のアルケニル基及び／又は炭素原子数２ないし３０のアルキニル基によって置換され、
Ｒ12は独立して、炭素原子数１ないし３０のアルキル基、炭素原子数２ないし３０のアルケニル基、炭素原子数２ないし３０のアルキニル基、炭素原子数６ないし１２のアリール基、炭素原子数７ないし１２のアラルキル基、炭素原子数８ないし１２のアラルケニル基又は炭素原子数８ないし１２のアラルキニル基を表し、
Ｒ13及びＲ14は独立してＨ又はＲ12に対して定義される通りであり、
但し、Ｒ1、Ｒ3、Ｒ3’、Ｒ4、Ｒ6及びＲ6’のうち少なくとも１つがヒドロキシ基を表すか、又はＸがＣＨＲ7−ＣＯ−Ｒ8を表すか；或いはＲ1、Ｒ3、Ｒ3’、Ｒ4、Ｒ6及びＲ6’のうち少なくとも１つがヒドロキシ基を表すか及びＸがＣＨＲ7−ＣＯ−Ｒ8を表す。）で表される化合物（但し、下記の化合物
【化１０】
2009525357.tif 000060
は除く。）。
【請求項２８】
前記式中、置換基Ｒ1、Ｒ2、Ｒ2’、Ｒ3、Ｒ3’、Ｒ4、Ｒ5、Ｒ5’、Ｒ6及びＲ6’のうち少なくとも１つが、炭素原子数２ないし３０のアルキニル基、炭素原子数７ないし１２のアラルキル基、炭素原子数８ないし１２のアラルキニル基、ＮＯ2、ＣＮ、ＳＲ11、Ｓ（
＝Ｏ）Ｒ11、Ｓ（＝Ｏ）2Ｒ11、ＣＯ−Ｏ−Ｒ11、Ｏ−ＣＯ−Ｒ11、ＣＯ−ＮＲ9Ｒ10又はＮＲ9−ＣＯ−Ｒ11であり又はそれらの基からなる群から選択される基を含有する、請求
項２７記載の化合物。
【請求項２９】
前記置換基Ｒ1、Ｒ2、Ｒ2’、Ｒ3、Ｒ3’、Ｒ4、Ｒ5、Ｒ5’、Ｒ6及びＲ6’のうち少なくとも１つが、ＮＯ2であるか又はＮＯ2を含有する、請求項２７記載の化合物。
【請求項３０】
前記式中、
Ｘは、
【化１１】
2009525357.tif 000061
を表し、又はＸは未置換の又は置換された炭素原子数８ないし１２のアラルケニル基を表し、
ｎは１を表し、
Ｒ及びＲ’は水素原子を表し、
Ｒ1、Ｒ2、Ｒ2’、Ｒ3、Ｒ3’、Ｒ4、Ｒ5、Ｒ5’、Ｒ6及びＲ6’は独立して、水素原子、ヒドロキシ基、ＮＯ2又はＯＲ11を表し、
Ｒ11は独立して、炭素原子数１ないし３０のアルキル基を表し、
置換されたアルケニル基は、ＮＯ2によって置換される、請求項２７記載の化合物。
【請求項３１】
式（Ｉ）で表される化合物が、
【化１２】
2009525357.tif 000062
で表される化合物である、請求項２７記載の化合物。
【発明の詳細な説明】
【技術分野】
【０００１】
本発明は、少なくとも１種の酸性水素及び塩基を有するβ−フェニルビニルケトン又はω−フェニルポリアセチレニルケトンを含む可逆熱変色性系、及び可逆熱変色性系とキャリア材料を含む可逆熱変色性組成物、及び少なくとも１種の酸性水素を有する新規な置換されたβ−フェニルビニルケトン又はω−フェニルポリアセチレニルケトンに関する。
【背景技術】
【０００２】
特許文献１は、可逆熱変色組成物及び同様のものを使用した目のくらみ（ｅｙｅ−ｄａｚｚｌｉｎｇ）が起こらないような鏡を記載する。特許文献２は、可逆熱変色性組成物を開示する。Ｇ．Ｂｅｇａｎ等は、非特許文献１においてクルクミンとホスファチジルコリンの相互作用を記載する。熱変色性物質はまた特許文献３においても開示される。Ｓ．Ｎ．Ｇｕｈａ等は、非特許文献２においてクルクミノイド抗酸化剤を記載する。ジフェニルメタン結合を持つ２つのクルクミノイド分子の合成及び錯化形成性は、Ａ．Ｓｕｎｄａｒｙｏｎｏ等により非特許文献３において開示される。
【特許文献１】韓国特許出願公開第２００３−０１６，５８９号明細書
【特許文献２】欧州特許出願公開第１，１７９，４３５号明細書
【特許文献３】米国特許出願公開第４，０２８，１１８号明細書
【非特許文献１】Ｊ．Ａｇｒｉｃ．ＦｏｏｄＣｈｅｍ．１９９９，４７，４９９２−４９９７
【非特許文献２】Ｒａｄｉａｔ．Ｐｈｙｓ．Ｃｈｅｍ．１９９７，４９，４３−４４
【非特許文献３】Ｊｏｕｒｎａｌ  ｏｆ  Ｍｏｌｅｃｕｌａｒ  Ｓｔｒｕｃｔｕｒｅ  ２００３，６４９，１７７−１９０
【発明の開示】
【発明が解決しようとする課題】
【０００３】
既知の可逆有機熱変色性系は、ロイコ染料のような塩基性発色剤及びフェノール系化合物のような酸性顕色剤から成る。冷所において、これらの成分は暗色塩であり、及び加熱すると一定の温度より上で分離する。冷却すると暗色塩が再び形成する。主な欠点は塩基性発色剤及び酸性顕色剤の乏しい光安定性であり、そして変色を遅らせ得、そしてそのような系は押出し成形によって製造されるプラスチック製品において不都合である熱安定性の低下を有する。
【０００４】
本発明に記載されている系は、使用された化合物がより高い光安定性を持ち得、さらに変色の遅延を少なくする、もしくは全くなくならせ得るので、不都合な点を持たない。例えば、変色は完全に可逆であり、及び本質的に多くの温冷周期後であっても疲労がない。本発明記載の系及び化合物は加熱することにより色が変化し、そして冷却することによりもとの色に戻る。涼しい環境において、色は例えば赤色又はオレンジ色であり、加熱すると例えばオレンジ色又は黄色に変わる。低温で前記系又は化合物は１つの化学形態であり、そして加熱すると系又は化合物が変色し、そして別の化学形態になる。即時に分かる場合として、１つの形態が少なくとも１種の酸性水素及び塩基を有するβ−フェニルビニルケトン又はω−フェニルポリアセチレニルケトン（例えば下記に定義される式（Ｉ）で表される化合物）であり得、及び他の形態が式（ＩＩ）ないし（ＶＩ）で表される化合物又はそれら互変異性体の１種であり得る。少なくとも１種の酸性水素を有するβ−フェニルビニルケトン又はω−フェニルポリアセチレニルケトンは熱的に非常に安定であり、それゆえにそれらは慣用の熱可塑性ポリマーに組み込むために要求される高温で押出すことができる。
【課題を解決するための手段】
【０００５】
本発明は、
（ａ）少なくとも１種の酸性水素を含有するβ−フェニルビニルケトン又はω−フェニルポリアセチレニルケトン及び
（ｂ）塩基を含み、
但し系は本質的にチモールブルー（チモールスルホンフタレイン）を含まず、特に本質的にフタレン誘導体を含まない可逆熱変色性系に関する。
【発明を実施するための最良の形態】
【０００６】
β−フェニルビニルケトン又はω−フェニルポリアセチレニルケトンは、未置換であるか又は置換し得る。
【０００７】
興味深いのは、成分（ａ）が式（Ｉ）
【化１】
2009525357.tif 000002
（式中、
Ｘは、
【化２】
2009525357.tif 000003
又はＣＨＲ7−ＣＯ−Ｒ8を表し、又はＸは炭素原子数１ないし３０のアルキル基、炭素原子数２ないし３０のアルケニル基、炭素原子数２ないし３０のアルキニル基、炭素原子数７ないし１２のアリール基、炭素原子数７ないし１２のアラルキル基、炭素原子数８ないし１２のアラルケニル基、炭素原子数８ないし１２のアラルキニル基、それらの各々は未置換であるか又は置換され、
ｎは１ないし１０の整数を表し、
Ｒ及びＲ’は独立して、水素原子、炭素原子数１ないし３０のアルキル基、炭素原子数２ないし３０のアルケニル基、炭素原子数２ないし３０のアルキニル基、炭素原子数６ないし１２のアリール基、炭素原子数７ないし１２のアラルキル基、炭素原子数８ないし１２のアラルケニル基又は炭素原子数８ないし１２のアラルキニル基を表し、
Ｒ1、Ｒ2、Ｒ2’、Ｒ3、Ｒ3’、Ｒ4、Ｒ5、Ｒ5’、Ｒ6及びＲ6’は独立して、水素原子、ヒドロキシ基、炭素原子数１ないし３０のアルキル基、炭素原子数２ないし３０のアルケニル基、炭素原子数２ないし３０のアルキニル基、炭素原子数６ないし１２のアリール基、炭素原子数７ないし１２のアラルキル基、炭素原子数８ないし１２のアラルケニル基、炭素原子数８ないし１２のアラルキニル基、ハロゲン原子、ＮＯ2、ＣＮ、ＮＲ9Ｒ10、ＯＲ11、ＳＲ11、Ｓ（＝Ｏ）Ｒ11、  Ｓ（＝Ｏ）2Ｒ11、ＣＯ−Ｒ11、ＣＯ−Ｏ−Ｒ11、Ｏ
−ＣＯ−Ｒ11、ＣＯ−ＮＲ9Ｒ10又はＮＲ9−ＣＯ−Ｒ11を表し、 該アルキル基、アルケ
ニル基、アルキニル基、アリール基、アラルキル基、アラルケニル基及びアラルキニル基は置換されるか又は未置換であり、
Ｒ7、Ｒ9及びＲ10は独立して、Ｈ又はＲ8に対して定義される通りであり、
Ｒ8及びＲ11は独立して、炭素原子数１ないし３０のアルキル基、炭素原子数２ないし３
０のアルケニル基、炭素原子数２ないし３０のアルキニル基、炭素原子数６ないし１０のアリール基、炭素原子数７ないし１２のアラルキル基、炭素原子数８ないし１２のアラルケニル基、炭素原子数８ないし１２のアラルキニル基を表し、該アルキル基、アルケニル基、アルキニル基、アリール基、アラルキル基、アラルケニル基及びアラルキニル基は置換されるか又は未置換であり、
該置換されたアルキル基、アルケニル基、アルキニル基、アリール基、アラルキル基、アラルケニル基及びアラルキニル基は、ハロゲン原子、ヒドロキシ基、ＮＯ2、ＣＮ、ＣＯ
−Ｒ12、ＣＯＯ−Ｒ12、ＣＯＮＲ13Ｒ14、ＯＣＯ−Ｒ12、ＮＲ13ＣＯ−Ｒ12、ＮＲ13Ｒ14、Ｏ−Ｒ12、Ｓ−Ｒ12、Ｓ（＝Ｏ）−Ｒ12及び／又はＳ（＝Ｏ）2−Ｒ12によって置換さ
れ、又は該置換されたアリール基、アラルキル基、アラルケニル基及びアラルキニル基は炭素原子数１ないし３０のアルキル基、炭素原子数２ないし３０のアルケニル基及び／又は炭素原子数２ないし３０のアルキニル基によって置換され、
Ｒ12は独立して、炭素原子数１ないし３０のアルキル基、炭素原子数２ないし３０のアルケニル基、炭素原子数２ないし３０のアルキニル基、炭素原子数６ないし１２のアリール基、炭素原子数７ないし１２のアラルキル基、炭素原子数８ないし１２のアラルケニル基又は炭素原子数８ないし１２のアラルキニル基を表し、
Ｒ13及びＲ14は独立してＨ又はＲ12に対して定義される通りであり、
但し、Ｒ1、Ｒ3、Ｒ3’、Ｒ4、Ｒ6及びＲ6’のうち少なくとも１つがヒドロキシ基を表すか、又はＸがＣＨＲ7−ＣＯ−Ｒ8を表すか；或いはＲ1、Ｒ3、Ｒ3’、Ｒ4、Ｒ6及びＲ6’のうち少なくとも１つがヒドロキシ基を表すか及びＸがＣＨＲ7−ＣＯ−Ｒ8を表す。）で表される化合物である、可逆熱変色性系である。
【０００８】
特に興味深いのは、前記式中、
Ｘは、
【化３】
2009525357.tif 000004
又はＣＨＲ7−ＣＯ−Ｒ8を表し、又はＸは炭素原子数１ないし３０のアルキル基、炭素原子数２ないし３０のアルケニル基、炭素原子数２ないし３０のアルキニル基、炭素原子数７ないし１２のアリール基、炭素原子数７ないし１２のアラルキル基、炭素原子数８ないし１２のアラルケニル基、炭素原子数８ないし１２のアラルキニル基、それらの各々は未置換であるか又は置換され、
ｎは１ないし２の整数を表し、
Ｒ及びＲ’は独立して、水素原子又は炭素原子数１ないし３０のアルキル基を表し、
Ｒ1、Ｒ2、Ｒ2’、Ｒ3、Ｒ3’、Ｒ4、Ｒ5、Ｒ5’、Ｒ6及びＲ6’は独立して、水素原子、ヒドロキシ基、炭素原子数１ないし３０のアルキル基、炭素原子数２ないし３０のアルケニル基、炭素原子数２ないし３０のアルキニル基、炭素原子数６ないし１２のアリール基、炭素原子数７ないし１２のアラルキル基、炭素原子数８ないし１２のアラルケニル基、炭素原子数８ないし１２のアラルキニル基、ハロゲン原子、ＮＯ2、ＮＲ9Ｒ10、ＯＲ11、ＣＯ−Ｒ11、ＣＯ−Ｏ−Ｒ11、Ｏ−ＣＯ−Ｒ11、ＣＯ−ＮＲ9Ｒ10又はＮＲ9−ＣＯ−Ｒ11を表し、該アルキル基、アルケニル基、アルキニル基、アリール基、アラルキル基、アラルケニル基及びアラルキニル基は置換されるか又は未置換であり、
Ｒ7、Ｒ9及びＲ10は独立して、Ｈ又はＲ8に対して定義される通りであり、
Ｒ8及びＲ11は独立して、炭素原子数１ないし３０のアルキル基、炭素原子数２ないし３
０のアルケニル基、炭素原子数２ないし３０のアルキニル基、炭素原子数６ないし１０の
アリール基、炭素原子数７ないし１２のアラルキル基、炭素原子数８ないし１２のアラルケニル基、炭素原子数８ないし１２のアラルキニル基を表し、該アルキル基、アルケニル基、アルキニル基、アリール基、アラルキル基、アラルケニル基及びアラルキニル基は置換されるか又は未置換であり、
該置換されたアルキル基、アルケニル基、アルキニル基、アリール基、アラルキル基、アラルケニル基及びアラルキニル基は、ハロゲン原子、ヒドロキシ基、ＮＯ2、ＣＯ−Ｒ12
、ＣＯＯ−Ｒ12、ＣＯＮＲ13Ｒ14、ＯＣＯ−Ｒ12、ＮＲ13ＣＯ−Ｒ12、ＮＲ13Ｒ14及び／又はＯ−Ｒ12によって置換され、又は置換された該アリール基、アラルキル基、アラルケニル基及びアラルキニル基は炭素原子数１ないし３０のアルキル基、炭素原子数２ないし３０のアルケニル基及び／又は炭素原子数２ないし３０のアルキニル基によって置換され、
Ｒ12は独立して、炭素原子数１ないし３０のアルキル基、炭素原子数２ないし３０のアルケニル基、炭素原子数２ないし３０のアルキニル基、炭素原子数６ないし１２のアリール基、炭素原子数７ないし１２のアラルキル基、炭素原子数８ないし１２のアラルケニル基又は炭素原子数８ないし１２のアラルキニル基を表し、
Ｒ13及びＲ14は、独立してＨ又はＲ12に対して定義される通りである、可逆熱変色性系である。
【０００９】
特に興味深いのは、前記式中、
Ｘは、
【化４】
2009525357.tif 000005
又はＣＨＲ7−ＣＯ−Ｒ8を表し、又はＸは炭素原子数１ないし３０のアルキル基、炭素原子数２ないし３０のアルケニル基、炭素原子数７ないし１２のアリール基、炭素原子数７ないし１２のアラルキル基、炭素原子数８ないし１２のアラルケニル基、それらの各々は未置換であるか又は置換され、
ｎは１を表し、
Ｒ及びＲ’は水素原子を表し、
Ｒ1、Ｒ2、Ｒ2’、Ｒ3、Ｒ3’、Ｒ4、Ｒ5、Ｒ5’、Ｒ6及びＲ6’は独立して、水素原子、ヒドロキシ基、炭素原子数１ないし３０のアルキル基、炭素原子数２ないし３０のアルケニル基、炭素原子数７ないし１２のアラルキル基、炭素原子数８ないし１２のアラルケニル基、ハロゲン原子、ＮＯ2、ＮＲ9Ｒ10、ＯＲ11、ＣＯ−Ｒ11、ＣＯ−Ｏ−Ｒ11、Ｏ−ＣＯ−Ｒ11を表し、該アルキル基、アルケニル基、アラルキル基及びアラルケニル基は置換されるか又は未置換であり、
Ｒ7はＨを表し、
Ｒ9及びＲ10は、独立してＨ又はＲ8に対して定義される通りであり、
Ｒ8及びＲ11は独立して、炭素原子数１ないし３０のアルキル基、炭素原子数２ないし３
０のアルケニル基、炭素原子数７ないし１２のアラルキル基、炭素原子数８ないし１２のアラルケニル基を表し、前記アルキル基、アルケニル基、アラルキル基及びアラルケニルは置換されるか又は未置換であり、
該置換されたアルキル基、アルケニル基、アリール基、アラルキル基及びアラルケニル基は、ハロゲン原子、ヒドロキシ基、ＮＯ2、ＣＯ−Ｒ12、ＣＯＯ−Ｒ12、ＯＣＯ−Ｒ12、
ＮＲ13Ｒ14及び／又はＯ−Ｒ12によって置換され、又は該置換されたアリール基、アラルキル基、アラルケニル基及びアラルキニル基は炭素原子数１ないし３０のアルキル基、炭
素原子数２ないし３０のアルケニル基及び／又は炭素原子数２ないし３０のアルキニル基によって置換され、
Ｒ12は独立して、炭素原子数１ないし３０のアルキル基、炭素原子数２ないし３０のアルケニル基、炭素原子数７ないし１２のアラルキル基、炭素原子数８ないし１２のアラルケニル基を表し、
Ｒ13及びＲ14は、独立してＨ又はＲ12に対して定義される通りである、可逆熱変色性系である。
【００１０】
さらに特に興味深いのは、前記式中、
Ｘは、
【化５】
2009525357.tif 000006
又はＣＨＲ7−ＣＯ−Ｒ8を表し、又はＸは炭素原子数１ないし３０のアルキル基、炭素原子数７ないし１２のアリール基又は炭素原子数８ないし１２のアラルケニル基、それらの各々は未置換であるか又は置換され、
ｎは１を表し、
Ｒ及びＲ’は水素原子を表し、
Ｒ1、Ｒ2、Ｒ2’、Ｒ3、Ｒ3’、Ｒ4、Ｒ5、Ｒ5’、Ｒ6及びＲ6’は独立して、水素原子、ヒドロキシ基、ハロゲン原子、ＮＯ2、ＮＲ9Ｒ10、ＯＲ11又はＣＯ−Ｒ11を表し、
Ｒ7はＨを表し、
Ｒ9及びＲ10は独立して、Ｈ又はＲ8に対して定義される通りであり、
Ｒ8及びＲ11は独立して、炭素原子数１ないし３０のアルキル基又は炭素原子数８ないし
１２のアラルケニル基を表し、該アルキル基及びアラルケニル基は置換されるか又は未置換であり、
該置換されたアルキル基、アリール基及びアラルケニル基は、ＮＯ2及び／又はＯ−Ｒ12
によって置換され、
Ｒ12は、炭素原子数１ないし３０のアルキル基を表す、
可逆熱変色性系である。
【００１１】
さらにとりわけ興味深いのは、前記式中、
Ｘは、
【化６】
2009525357.tif 000007
又はＣＨＲ7−ＣＯ−Ｒ8を表し、又はＸは炭素原子数１ないし１０のアルキル基、炭素原子数１２のアリール基又は炭素原子数８ないし１０のアラルケニル基、それらの各々は未置換であるか又は置換され、
ｎは１を表し、
Ｒ及びＲ’は水素原子を表し、
Ｒ1、Ｒ2、Ｒ2’、Ｒ3、Ｒ3’、Ｒ4、Ｒ5、Ｒ5’、Ｒ6及びＲ6’は独立して、水素原子、ヒドロキシ基、ハロゲン原子、ＮＯ2、ＮＲ9Ｒ10、ＯＲ11又はＣＯ−Ｒ11を表し、
Ｒ7はＨを表し、
Ｒ9及びＲ10は独立してＨ又はＲ8に対して定義される通りであり、
Ｒ8及びＲ11は独立して、炭素原子数１ないし１０のアルキル基又は炭素原子数８ないし
１０のアラルケニル基を表し、該アルキル基及びアラルケニル基は置換されるか又は未置換であり、
該置換されたアルキル基、アリール基及びアラルケニル基は、ヒドロキシ基、ＮＯ2及び
／又はＯ−Ｒ12によって置換され、
Ｒ12は、炭素原子数１ないし１０のアルキル基を表す、
可逆熱変色性系である。
【００１２】
最も特に興味深いのは、前記式中、
Ｘは、
【化７】
2009525357.tif 000008
又はＣＨＲ7−ＣＯ−Ｒ8を表し、又はＸは炭素原子数１ないし５のアルキル基又はナフチル基を表し、又はＸは置換された炭素原子数８のアラルケニル基を表し、
ｎは１を表し、
Ｒ及びＲ’は水素原子を表し、
Ｒ1、Ｒ2、Ｒ2’、Ｒ3、Ｒ3’、Ｒ4、Ｒ5、Ｒ5’、Ｒ6及びＲ6’は独立して、水素原子、ヒドロキシ基、ハロゲン原子、ＮＯ2、ＮＲ9Ｒ10、ＯＲ11又はＣＯ−Ｒ11を表し、
Ｒ7はＨを表し、
Ｒ9及びＲ10は独立してＨ又はＲ8に対して定義される通りであり、
Ｒ8及びＲ11は独立して、炭素原子数１ないし５のアルキル基又は炭素原子数８のアラル
ケニル基を表し、該アルキル基及びアラルケニル基は置換されるか又は未置換であり、
該置換されたアルキル基、アリール基及びアラルケニル基は、ヒドロキシ基、ＮＯ2及び
／又はＯ−Ｒ12によって置換され、
Ｒ12は、炭素原子数１ないし５のアルキル基を表す、
可逆熱変色性系である。
【００１３】
極めて興味深いのは、前記式中、
Ｘは、
【化８】
2009525357.tif 000009
又はＣＨＲ7−ＣＯ−Ｒ8を表し、又はＸはメチル基又はナフチル基を表し、又はＸは置換された炭素原子数８のアラルケニル基を表し、
ｎは１を表し、
Ｒ及びＲ’は水素原子を表し、
Ｒ1、Ｒ2、Ｒ2’、Ｒ4、Ｒ5及びＲ5’は独立して、水素原子、ヒドロキシ基、塩素原子、ＮＯ2、ＮＲ9Ｒ10、ＯＲ11又はＣＯ−Ｒ11を表し、
Ｒ3、Ｒ3’、Ｒ6及びＲ6’は、水素原子を表し、
Ｒ7はＨを表し、
Ｒ9及びＲ10は独立してＲ8に対して定義される通りであり、
Ｒ8及びＲ11は独立して、メチル基又は置換された炭素原子数８のアラルケニル基を表し
、
該置換されたアラルケニル基はヒドロキシ基、ＮＯ2及び／又はＯ−Ｒ12によって置換さ
れ、
Ｒ12は、メチル基を表す、
可逆熱変色性系である。
【００１４】
例えば、Ｒ3、Ｒ3’、Ｒ6及びＲ6’は、Ｈである。
例えば、Ｒ2又はＲ2’のどちらか一方が、Ｈである。
例えば、Ｒ5又はＲ5’のどちらか一方が、Ｈである。
好ましくは、Ｒ及びＲ’が水素原子である。
ｎは１であることが好ましい。
Ｒ1及び／又はＲ4は、好ましくはヒドロキシ基である。
【００１５】
塩基（ｂ）が１モルにつき少なくとも１５０ｇのモル質量、とりわけ１モルにつき少なくとも３００ｇ、特に１モルにつき少なくとも３５０ｇを有する、可逆熱変色性系が好ましい。
【００１６】
また、塩基（ｂ）が第二級もしくは第三級アミン又は第二級もしくは第三級ホスフィンであり、前記アミン及び前記ホスフィンが芳香族でなく、及び前記アミン又は前記ホスフィンに直接結合する芳香族置換基を有さない可逆熱変色性系が特に好ましい。
【００１７】
第二級もしくは第三級アミン又は第二級もしくは第三級ホスフィンは、２つ又は３つの有機置換基を有する。
【００１８】
例えば、前記アミン又はホスフィンは、一官能価（すなわち、１分子につき１つのアミン又はホスフィン基を含有する）又は多官能価（すなわち、１分子につき少なくとも２つのアミン又はホスフィン基を含有する）であり、特に多官能価である。
【００１９】
例えば、第二級アミンはＮＨＲ26Ｒ27であり、第三級アミンはＮＲ26Ｒ27Ｒ28であり、第二級ホスフィンはＰＨＲ26Ｒ27であり及び第三級ホスフィンはＰＲ26Ｒ27Ｒ28であり、ここでＲ26、Ｒ27及びＲ28は独立して、１ないし５００個の炭素原子を含有する有機残基又は１ないし５００個の炭素原子及び１ないし２００個のヘテロ原子を含有する有機残基、特にＮ、Ｐ、Ｏ、Ｓ、Ｓｅ、Ｃｌ、Ｂｒ及び／又はＩを表し；又はＲ26及びＲ27は、それらが結合する前記Ｎと一緒になって、未置換の又は置換された５−又は６−員環式環構造、好ましくは未置換の又は置換された６−員環式環構造を形成し、例えば、未置換の又は置換された環式環構造が立体障害性アミンである。
興味深いのは、ＣＯＯＨ及びＳＯ2ＯＨのような酸性基を含有しない第二級もしくは第
三級アミン又は第二級もしくは第三級ホスフィンである。
【００２０】
例えば、Ｒ26、Ｒ27及びＲ28は独立して、炭素原子数１ないし３０のアルキル基、炭素原子数７ないし１２のアラルキル基、炭素原子数２ないし３０のアルケニル基、炭素原子数８ないし１２のアラルケニル基、炭素原子数２ないし３０のアルキニル基又は炭素原子数８ないし１２のアラルキニル基であり、前記基が未置換又は１つ以上のＣＯＯ−Ｒ13、ＣＯＮＲ13Ｒ14、ＯＣＯ−Ｒ12、ＮＲ13ＣＯ−Ｒ12、ＮＲ12Ｒ13、Ｏ−Ｒ12、Ｓ−Ｒ12、ＳＯ−Ｒ12及び／又はＳ（＝Ｏ）2−Ｒ12によって置換され；又はアラルキル基、アラル
ケニル基及びアラルキニル基は炭素原子数１ないし３０のアルキル基、炭素原子数２ないし３０のアルケニル基及び／又は炭素原子数２ないし３０のアルキニル基によって置換さ
れ；又は前記アミンは立体障害性アミンであり；Ｒ12、Ｒ13及びＲ14は上記に定義される通りである。
【００２１】
塩基ｂが第二級又は第三級アミン、例えば第二級アミン、例えば第二級立体障害性アミンのような第二級又は第三級立体障害性アミンが、最も特に好ましい。
【００２２】
第二級又は第三級立体障害性アミンは、好ましくは式（Ｚ）
【化９】
2009525357.tif 000010
（式中、
Ｇ4、Ｇ5、Ｇ6及びＧ7は独立して、メチル基又はエチル基、例えばメチル基を表し、
Ｅは水素原子、炭素原子数１ないし１８のアルキル基又は炭素原子数３ないし１８のアルケニル基、例えば炭素原子数１ないし１８のアルキル基又は水素原子、特に水素原子を表し、
Ｅ10は、未置換であるか、又はＯＨ、＝Ｏによって、もしくは合計で１ないし５００個の炭素原子又は１ないし５００個の炭素原子及び１ないし２００個のヘテロ原子、特にＮ、Ｐ、Ｏ、Ｓ、Ｓｅ、Ｃｌ、Ｂｒ及び／又はＩを含有する１つ又は２つの有機残基によって置換された炭素原子を表す。）
で表される化合物である。
【００２３】
第二級又は第三級立体障害性アミンは、好ましく式（Ａ）ないし（Ｍ）で表されるうちの１つである。
【化１０】
2009525357.tif 000011
【化１１】
2009525357.tif 000012
【化１２】
2009525357.tif 000013
【化１３】
2009525357.tif 000014
（式中、
Ｅ、Ｇ4、Ｇ5、Ｇ6及びＧ7は上記で定義される通りであり、
ｍは０又は１を表し、
Ｒ29は水素原子、ヒドロキシル基又はヒドロキシメチル基を表し、
Ｒ30は水素原子、１ないし１２個の炭素原子を有するアルキル基又は２ないし１２個の炭素原子を有するアルケニル基を表し、
ａは１ないし４を表し、
ａが１を表す場合、
Ｒ31は水素原子、１ないし１８個の炭素原子を有するアルキル基、４ないし１８個の炭素原子を有するアルコキシカルボニルアルキレンカルボニル基、２ないし１８個の炭素原子を有するアルケニル基、グリシジル基、２，３−ジヒドロキシプロピル基、２−ヒドロキシ又は２−（ヒドロキシメチル）で置換されたアルキル基が酸素原子によって中断される３ないし１２個の炭素原子を有するアルキル基、２ないし１８個の炭素原子を含有する脂肪族もしくは不飽和脂肪族カルボン酸又はカルバミン酸を有するアシル基、７ないし１２個の炭素原子を含有する脂環式カルボン酸又はカルバミン酸を有するアシル基、又は７ないし１５個の炭素原子を含有する芳香族酸を有するアシル基を表し、
ａが２を表す場合、
Ｒ31は、２ないし１８個の炭素原子を有するアルキレン基、２ないし１８個の炭素原子を含有する脂肪族もしくは不飽和脂肪族ジカルボン酸又はジカルバミン酸を有する二価のアシル基、７ないし１２個の炭素原子を含有する脂環式ジカルボン酸又はジカルバミン酸を有する二価のアシル基、又は８ないし１５個の炭素原子を含有する芳香族ジカルボン酸を有する二価のアシル基を表し、
ａが３を表す場合、
Ｒ31は、６ないし１８個の炭素原子を含有する脂肪族又は不飽和脂肪族トリカルボン酸を有する三価のアシル基、又は９ないし１５個の炭素原子を含有する芳香族トリカルボン酸を有する三価のアシル基を表し、
ａが４を表す場合、
Ｒ31は、脂肪族又は不飽和脂肪族テトラカルボン酸を有する四価のアシル基、とりわけ１，２，３，４−ブタンテトラカルボン酸、１，２，３，４−ブテ−２−エンテトラカルボン酸、１，２，３，５−ペンタンテトラカルボン酸及び１，２，４，５−ペンタンテトラカルボン酸を表し、又はＲ31は、１０ないし１８個の炭素原子を含有する芳香族テトラカルボン酸を有する四価のアシル基を表し、
ｐは１ないし３を表し、
Ｒ32は、水素原子、１ないし１８個の炭素原子を有するアルキル基又は２ないし６個の炭素原子もしくはフェニル基を有するアシル基を表し、
ｐが１を表す場合、
Ｒ33は、フェニル基、１ないし１８個の炭素原子を有するアルキル基、２ないし１８個の炭素原子を含有する脂肪族もしくは不飽和脂肪族カルボン酸又はカルバミン酸を有するアシル基、７ないし１２個の炭素原子を含有する脂環式カルボン酸又はカルバミン酸を有するアシル基、７ないし１５個の炭素原子を含有する芳香族カルボン酸を有するアシル基を表し、又はＲ32及びＲ33は一緒になって、−（ＣＨ2）5ＣＯ−、フタロイル基又はマレイン酸を有する二価のアシル基を表し、
ｐが２を表す場合、
Ｒ33は、２ないし１２個の炭素原子を有するアルキレン基、２ないし１８個の炭素原子を含有する脂肪族もしくは不飽和脂肪族ジカルボン酸又はジカルバミン酸を有する二価のアシル基、７ないし１２個の炭素原子を含有する脂環式ジカルボン酸又はジカルバミン酸を有する二価のアシル基、又は８ないし１５個の炭素原子を含有する芳香族ジカルボン酸を有する二価のアシル基を表し、
ｐが３を表す場合、
Ｒ33は、６ないし１８個の炭素原子を含有する脂肪族又は不飽和脂肪族トリカルボン酸を有する三価のアシル基、又は９ないし１５個の炭素原子を含有する芳香族トリカルボン酸を有する三価のアシル基を表し、
ｂは１ないし４を表し、
ｂが１を表す場合、
Ｒ34は、１ないし１８個の炭素原子を有するアルコキシ基、２ないし１８個の炭素原子を有するアルケニルオキシ基、１ないし１８個の炭素原子を有する−ＮＨアルキル基又は２ないし３６個の炭素原子を有する−Ｎ（アルキル）2を表し、
ｂが２を表す場合、
Ｒ34は、２ないし１８個の炭素原子を有するアルキレンジオキシ基、２ないし１８個の炭素原子を有するアルケニルジオキシ基、２ないし１８個の炭素原子を有する−ＮＨ−アルキレン−ＮＨ−又は２ないし１８個の炭素原子を有する−Ｎ（アルキル）−アルキレン−Ｎ（アルキル）−を表し、又はＲ34は４−メチル−１，３−フェニレンジアミノ基を表し、
ｂが３を表す場合、
Ｒ34は、３ないし１８個の炭素原子を含有する飽和又は不飽和脂肪族トリオールを有する三価のアルコキシ基を表し、
ｂが４を表す場合、
Ｒ34は、４ないし１８個の炭素原子を含有する飽和又は不飽和脂肪族テトラオールを有する四価のアルコキシ基を表し、
Ｒ35及びＲ36  は、独立して、塩素原子、１ないし１８個の炭素原子を有するアルコキシ基、−Ｏ−Ｔ1、２−ヒドロキシエチル基によって置換されたアミノ基、１ないし１８個
の炭素原子を有する−ＮＨ（アルキル）、１ないし１８個の炭素原子を有するアルキル基を有する−Ｎ（アルキル）Ｔ1、又は２ないし３６個の炭素原子を有する−Ｎ（アルキル
）2を表し、
Ｒ37は、酸素原子を表すか、又はＲ37は水素原子、１ないし１２個の炭素原子を有するアルキル基又はＴ1のいずれかによって置換された窒素原子を表し、
Ｔ1は、
【化１４】
2009525357.tif 000015
を表し、
Ｒ38は、水素原子又はメチル基を表し、
ｃは２ないし８を表し、
Ｒ39及びＲ40は独立して、水素原子又は基Ｔ2を表し、
Ｔ2は、
【化１５】
2009525357.tif 000016
を表し、
ｅは１ないし１０、例えば２ないし１０を表し、
ｄは、化合物が分子量１０００ないし４０００原子質量単位（ａｍｕ）を有するような整数を表し、例えばｄは３ないし１０の範囲内であり得、
Ｒ41は、モルホリノ基、ピペリジノ基、１−ピペリジニル基、１ないし１０個の炭素原子を有するアルキルアミノ基、とりわけ第三−オクチルアミノ基のような３ないし８個の炭素原子を有する枝分かれしたアルキルアミノ基、１ないし８個の炭素原子を有するアルキル基を有する−Ｎ（アルキル）Ｔ1、又は２ないし１６個の炭素原子を有する−Ｎ（アル
キル）2を表し、
Ｒ42は、水素原子、２ないし４個の炭素原子を有するアシル基、１ないし４個の炭素原子を有するアルキル基によって置換されたカルバモイル基、塩素原子によって１回及びＲ41によって１回置換されたｓ−トリアジニル基、又は２つのＲ41置換基が異なり得るという条件でＲ41によって２回置換されたｓ−トリアジニル基を表し、
Ｒ43は、塩素原子、１ないし８個の炭素原子を有するアルキル基によって又はＴ1によっ
て置換されたアミノ基、１ないし８個の炭素原子を有するアルキル基を有する−Ｎ（アルキル）Ｔ1、２ないし１６個の炭素原子を有する−Ｎ（アルキル）2、又は基Ｔ3を表し、
Ｔ3は、
【化１６】
2009525357.tif 000017
を表し、
Ｒ45は、水素原子、２ないし４個の炭素原子を有するアシル基、１ないし４個の炭素原子を有するアルキル基によって置換されたカルバモイル基、２ないし１６個の炭素原子を有する−Ｎ（アルキル）2によって２回置換されたｓ−トリアジニル基又は１ないし８個の
炭素原子を有するアルキル基を有する−Ｎ（アルキル）Ｔ1によって２回置換されたｓ−
トリアジニル基を表し、
Ｒ44は独立して、水素原子、１ないし１８個の炭素原子を有するアルキル基、４ないし１８個の炭素原子を有するアルコキシカルボニルアルキレンカルボニル基、２ないし１８個の炭素原子を有するアルケニル基、グリシジル基、２，３−ジヒドロキシプロピル基、アルキル基が酸素原子によって中断された３ないし１２個の炭素原子を有する２−ヒドロキシ基又は２−（ヒドロキシメチル）置換されたアルキル基、２ないし１８個の炭素原子を含有する脂肪族もしくは不飽和脂肪族カルボン酸又はカルバミン酸を有するアシル基、７ないし１２個の炭素原子を含有する脂環式カルボン酸又はカルバミン酸を有するアシル基、又は７ないし１５個の炭素原子を含有する芳香族酸を有するアシル基を表す。）
【００２４】
第二級又は第三級立体障害性アミンは、より好ましくは式（Ｃ）、（Ｄ）又は（Ｌ）、特に式（Ｃ）又は（Ｌ）、とりわけ式（Ｌ）で表されるものである。
【００２５】
式（Ｃ）において、好ましいのは下記である：
ａは１ないし２、好ましくは２を表し、
ａが１を表す場合、
Ｒ31は、水素原子、１ないし１８個の炭素原子を有するアルキル基、４ないし１８個の炭素原子を有するアルコキシカルボニルアルキレンカルボニル基、２ないし１８個の炭素原子を有するアルケニル基、グリシジル基、２，３−ジヒドロキシプロピル基、２−ヒドロキシ基又は２−（ヒドロキシメチル）で置換された酸素原子によって中断された３ないし１２個の炭素原子を有するアルキル基、２ないし１８個の炭素原子を含有する脂肪族又は不飽和脂肪族カルボン酸を有するアシル基を表し、
ａが２を表す場合、
Ｒ31は、２ないし１８個の炭素原子を有するアルキレン基、２ないし１８個の炭素原子を含有する脂肪族又は不飽和脂肪族ジカルボン酸を有する二価のアシル基、好ましくは２ないし１８個の炭素原子を含有する、とりわけ６ないし１２個の炭素原子を含有する脂肪族ジカルボン酸を有する二価のアシル基を表す。
【００２６】
式（Ｄ）において、好ましいのは下記である：
ｐは１又は２、好ましくは２を表し、
Ｒ32は、水素原子又は１ないし１８個の炭素原子を有するアルキル基、好ましくは水素原子を表し、
ｐが１を表す場合、
Ｒ33は、１ないし１８個の炭素原子を有するアルキル基又は２ないし１８個の炭素原子を含有する脂肪族もしくは不飽和脂肪族カルボン酸又はカルバミン酸を有するアシル基を表し、例えばＲ33はアルキル基又は２ないし１８個の炭素原子を含有する脂肪族カルボン酸を有するアシル基を表し、
ｐが２を表す場合、
Ｒ33は、２ないし１２個の炭素原子を有するアルキレン基又は２ないし１８個の炭素原子を含有する脂肪族もしくは不飽和脂肪族ジカルボン酸又はジカルバミン酸を有する二価のアシル基を表し、例えばＲ33は、２ないし１２個の炭素原子を有するアルキレン基を表す。
【００２７】
式（Ｌ）において、好ましいのは下記である：
ｃは４ないし８を表し、
Ｒ41は、１ないし１０個の炭素原子を有するアルキルアミノ基、とりわけ第三−オクチルアミノ基のような３ないし８個の炭素原子を有する枝分かれしたアルキルアミノ基、１ないし８個の炭素原子のアルキル基を有する−Ｎ（アルキル）Ｔ1、又は２ないし１６個の
炭素原子を有する−Ｎ（アルキル）2、特に１ないし１０個の炭素原子を有するアルキル
アミノ基を表し、
Ｒ42は、水素原子、塩素原子によって１回及びＲ41によって１回置換されたｓ−トリアジニル基、又は２つのＲ41置換基が異なり得るという条件でＲ41によって２回置換されたｓ−トリアジニル基、例えばＲ42は、水素原子又はＲ41によって２回置換されたｓ−トリアジニル基を表し、とりわけＲ42は水素原子を表し、
Ｒ43は上記した通りであり、例えばＲ43は基Ｔ3を表し
基Ｔ3のＲ45は水素原子、２ないし１６個の炭素原子を有する−Ｎ（アルキル）2によって２回置換されたｓ−トリアジニル基又は１ないし８個の炭素原子のアルキル基を有する−Ｎ（アルキル）Ｔ1によって２回置換されたｓ−トリアジニル基を表し、例えば基Ｔ3のＲ45は水素原子又は２ないし１６個の炭素原子を有する−Ｎ（アルキル）2によって２回置
換されたｓ−トリアジニル基を表し、とりわけ基Ｔ3のＲ45は水素原子を表す。
【００２８】
下記の商品が立体障害性アミンとして適している：
チヌビン（登録商標：ＴＩＮＵＶＩＮ）６２２（ＣＡＳ  ６５４４７−７７−０）、ホシュタビン（登録商標：ＨＯＳＴＡＶＩＮ）Ｎ３０（ＣＡＳ  ２０２４８３−５５−４）、フェロ（登録商標：ＦＥＲＲＯ）ＡＭ８０６（ＣＡＳ  ７０８００−０９−８）、ダスチブ（登録商標：ＤＡＳＴＩＢ）８４５（ＣＡＳ  ２４８６０−２２−８）、チヌビン（登録商標：ＴＩＮＵＶＩＮ）７７０（ＣＡＳ  ５８８２９−０７−９）、チヌビン（登録商標：ＴＩＮＵＶＩＮ）７６５（ＣＡＳ  ８２９１９−３７−７及び４１５５６−２６−７）、チヌビン（登録商標：ＴＩＮＵＶＩＮ）１４４（ＣＡＳ  ６３８４３−８９−０）、ＡＤＫ  ＳＴＡＢ（登録商標）ＬＡ５２（ＣＡＳ  ９１７８８−８３−９）、ＡＤＫ  ＳＴＡＢ（登録商標）ＬＡ  ５７（ＣＡＳ  ６４０２２−６１−３）、ＡＤＫ  ＳＴＡＢ（登録商標）ＬＡ  ６２（ＣＡＳ  １０７１１９−９１−５）、ＡＤＫ  ＳＴＡＢ（登録商標）ＬＡ  ６７（ＣＡＳ  １００６３１−４３−４）、ホシュタビン（登録商標：ＨＯＳＴＡＶＩＮ）Ｎ２０（ＣＡＳ  ６４３３８−１６−５）、ホシュタビン（登録商標：ＨＯＳＴＡＶＩＮ）Ｎ２４（ＣＡＳ  ８５０９９−５１−０及び８５０９９−５０−９）、サンデュボア（登録商標：ＳＡＮＤＵＶＯＲ）３０５０（ＣＡＳ  ８５０９９−５１−０及び８５０９９−５０−９）、ダイアセタム（登録商標：ＤＩＡＣＥＴＡＭ）５（ＣＡＳ
７６５０５−５８−３）、スミソルブ（登録商標：ＳＵＭＩＳＯＲＢ）ＴＭ６１（ＣＡＳ  ８４２１４−９４−２）、ウビヌル（登録商標：ＵＶＩＮＵＬ）４０４９（ＣＡＳ  １０９４２３−００−９）、サンデュボア（登録商標：ＳＡＮＤＵＶＯＲ）ＰＲ３１（ＣＡＳ  １４７７８３−６９−５）、グッドライト（登録商標：ＧＯＯＤＲＩＴＥ）ＵＶ３０３４（ＣＡＳ  ７１０２９−１６−８）、グッドライト（登録商標：ＧＯＯＤＲＩＴＥ）ＵＶ３１５０（ＣＡＳ  ９６２０４−３６−３）、グッドライト（登録商標：ＧＯＯＤＲＩＴＥ）ＵＶ３１５９（ＣＡＳ  １３０２７７−４５−１）、グッドライト（登録商標：ＧＯＯＤＲＩＴＥ）３１１０ｘ１２８、ウビヌル（登録商標：ＵＶＩＮＵＬ）４０５０Ｈ（ＣＡＳ  １２４１７２−５３−８）、チマソルブ（登録商標：ＣＨＩＭＡＳＳＯＲＢ）９４４（ＣＡＳ  ７１８７８−１９−８）、チマソルブ（登録商標：ＣＨＩＭＡＳＳＯＲＢ）２０２０（ＣＡＳ  １９２２６８−６４−７）、シアソルブ（登録商標：ＣＹＡＳＯＲＢ）ＵＶ３３４６（ＣＡＳ  ８２４５１−４８−７）、シアソルブ（登録商標：ＣＹＡＳＯＲＢ）ＵＶ３５２９（ＣＡＳ  １９３０９８−４０−７）、ダスチブ（登録商標：ＤＡＳＴＩＢ）１０８２（ＣＡＳ  １１３１６９−９６−３）、チマソルブ（登録商標：ＣＨＩＭＡＳＳＯＲＢ）１１９（ＣＡＳ  １０６９９０−４３−６）、ウバシル（登録商標：ＵＶＡＳＩＬ）２９９（ＣＡＳ  １６４６４８−９３−５）、ウバシル（登録商標：ＵＶＡＳＩＬ）１２５（ＣＡＳ  １６４６４８−９３−５）、ウバシル（登録商標：ＵＶＡＳＩＬ）２０００（ＣＡＳ  １６４６４８−９３−５）、ウビヌル（登録商標：ＵＶＩＮＵＬ）５０５０Ｈ（ＣＡＳ  １５２２６１−３３−１及び１９９２３７−３９−３）、リヒトシュッツストッフ（登録商標：ＬＩＣＨＴＳＣＨＵＴＺＳＴＯＦＦ）ＵＶ３１、ルヘム（登録商標：ＬＵＣＨＥＭ）ＨＡ  Ｂ  １８、ＡＤＫ  ＳＴＡＢ（登録商標）ＬＡ  
６３（ＣＡＳ  １１５０５５−３０−６）、ＡＤＫ  ＳＴＡＢ（登録商標）ＬＡ  ６８（ＣＡＳ  １００６３１−４４−５）又はウバソルブ（登録商標：ＵＶＡＳＯＲＢ）ＨＡ  ８８（ＣＡＳ  １３６５０４−９６−６）。
グッドライト（登録商標：ＧＯＯＤＲＩＴＥ）３１１０ｘ１２８は、式
【化１７】
2009525357.tif 000018
で表される。
リヒトシュッツストッフ（登録商標：Ｌｉｃｈｔｓｃｈｕｔｚｓｔｏｆｆ）ＵＶ３１は、式
【化１８】
2009525357.tif 000019
で表される。
【００２９】
特に興味深いのは、チマソルブ（登録商標：Ｃｈｉｍａｓｓｏｒｂ）９４４（ＣＡＳ  ７１８７８−１９−８）、チマソルブ（登録商標：Ｃｈｉｍａｓｓｏｒｂ）２０２０（ＣＡＳ  １９２２６８−６４−７）又はチヌビン（登録商標：Ｔｉｎｕｖｉｎ）７７０（ＣＡＳ  ５８８２９−０７−９）、特にチマソルブ（登録商標：Ｃｈｉｍａｓｓｏｒｂ）９４４又はチヌビン（登録商標：Ｔｉｎｕｖｉｎ）７７０である市販の第二級立体障害性アミンである。
【００３０】
成分（ａ）と成分（ｃ）の比は、好ましくは質量で２：１ないし１：１００、より好ましくは質量で１：１ないし１：２０、最も好ましくは質量で１：２ないし１：１６、例えば質量で１：３ないし１：６である。
【００３１】
本発明は、式（ＩＩ）ないし（ＶＩ）で表される化合物又はそれらの互変異性体の１種にも関する
【化１９】
2009525357.tif 000020
（式中、
Ｒ、Ｒ’、Ｒ1、Ｒ2、Ｒ2’、Ｒ3、Ｒ3’、Ｒ4、Ｒ5、Ｒ5’、Ｒ6、Ｒ6’、Ｒ7、  Ｒ8、Ｘ及びｎは、上記で定義される通りであり、及び
Ｍ+は、アンモニウムカチオン又はホスホニウムカチオンを表し、
但し、
（１）前記アンモニウムカチオン又は前記ホスホニウムカチオンは、芳香族ではなく、及び前記アンモニウムカチオン又は前記ホスホニウムカチオンに直接結合する芳香族置換基を有さず、及び
（２）Ｍ+は、ホスファチジルコリン+、特に卵及び大豆ホスファチジルコリン+、より好
ましくはホスホリピド+、最も好ましくはテンシッド+（ｔｅｎｓｉｄ）と異なる。）。
【００３２】
式（ＩＩ）ないし（ＶＩ）で表される化合物は、互変異性体を形成し得る。例えば、これらの互変異性体は式（ＩＩａ）ないし（ＶＩａ）で表される化合物であり得る
【化２０】
2009525357.tif 000021
【化２１】
2009525357.tif 000022
【００３３】
好ましくは、Ｍ+は１モルにつき少なくとも１５０ｇ、より好ましくは１モルにつき少
なくとも３００ｇ、最も好ましくは１モルにつき少なくとも３５０ｇの分子量を有する。
【００３４】
例えば、Ｍ+は第二級もしくは第三級アンモニウムカチオン又は第二級もしくは第三級
ホスホニウムカチオンである。
【００３５】
Ｍ+は、第二級又は第三級アンモニウムカチオン、例えば第二級アンモニウムカチオン
、特に第二級又は第三級立体障害性アンモニウムカチオン、例えば第二級立体障害性アンモニウムカチオンであることが好ましい。
【００３６】
例えば、これらの第二級もしくは第三級アンモニウムカチオン又は第二級もしくは第三級ホスホニウムカチオン又は第二級もしくは第三級立体障害性アンモニウムカチオンは、第二級もしくは第三級アミン又は第二級もしくは第三級ホスフィン、又はアミン又はホスフィン官能基に追加のＨ+を有する上記に定義された通りの第二級もしくは第三級立体障
害性アミンに相当する。
【００３７】
本発明の別の態様は、
（ｉ）上記で定義された通りの可逆熱変色性系又は式（ＩＩ）ないし（ＶＩ）で表される
化合物又は上記で定義されたこれらの互変異性体の１種及び
（ｉｉ）キャリア材料
を含む可逆熱変色性組成物である。
【００３８】
成分（ｉ）と成分（ｉｉ）の質量比は、好ましくは１：１００００ないし１：１、より好ましくは１：５０００ないし１：２、最も好ましくは１：１０００ないし１：５である。
【００３９】
例えば、キャリア材料（ｉｉ）は、ポリマー、溶媒及び／又はワックス、特にポリマーである。
【００４０】
例えば、キャリア材料（ｉｉ）は、プラスチック製品、フィルム、紙、繊維、溶媒、ワックス、コーティング及び／又はインク、とりわけプラスチック製品及び／又はコーティング、特にプラスチック製品である。
【００４１】
キャリア材料（ｉｉ）として適切なポリマーの例は以下である：
１．モノオレフィン及びジオレフィンのポリマー、例えばポリプロピレン、ポリイソブチレン、ポリブテ−１−エン、ポリ−４−メチルペンテ−１−エン、ポリビニルシクロヘキサン、ポリイソプレン又はポリブタジエン、並びにシクロオレフィン、例えばシクロペンテン又はノルボルネンのポリマー、ポリエチレン（所望により架橋され得る）、例えば高密度ポリエチレン（ＨＤＰＥ）、高密度及び高分子量ポリエチレン（ＨＤＰＥ−ＨＭＷ）、高密度及び超高分子量ポリエチレン （ＨＤＰＥ−ＵＨＭＷ）、中密度ポリエチレン（
ＭＤＰＥ）、低密度ポリエチレン（ＬＤＰＥ）、線状低密度ポリエチレン（ＬＬＤＰＥ）、（ＶＬＤＰＥ）及び（ＵＬＤＰＥ）。
ポリオレフィン、すなわち前の段落において例示したモノオレフィンのポリマー、好ましくはポリエチレン及びポリプロピレンは、異なる方法により、そして特に以下の方法により調製され得る：
ａ）ラジカル重合（通常は高圧下及び上昇した温度において）。
ｂ）通常、周期表のＩＶｂ、Ｖｂ、ＶＩｂ又はＶＩＩＩ群の金属の一つ又はそれ以上を含む触媒を使用した触媒重合。これらの金属は通常、一つ又はそれ以上の配位子、典型的にはπ−又はσ−配位し得るオキシド、ハロゲン化物、アルコレート、エステル、エーテル、アミン、アルキル、アルケニル及び／又はアリールを有する。これらの金属錯体は遊離形態であるか、又は基材に、典型的には活性化塩化マグネシウム、チタン（ＩＩＩ）クロリド、アルミナ又は酸化ケイ素に固定され得る。これらの触媒は、重合媒体中に可溶又は不溶であり得る。該触媒は重合においてそのまま使用され得、又は更なる活性化剤、典型的には金属アルキル、金属ヒドリド、金属アルキルハライド、金属アルキルオキシド又は金属アルキルオキサンであって、前記金属が周期表のＩａ、ＩＩａ及び／又はＩＩＩａ群の元素であるものが使用され得る。該活性化剤は、更なるエステル、エーテル、アミン又はシリルエーテル基で都合良く変性され得る。これらの触媒系は、通常、フィリップス、スタンダード・オイル・インディアナ、チグラー（−ナッタ）、ＴＮＺ（デュポン）、メタロセン又はシングルサイト触媒（ＳＳＣ）と呼ばれる。
【００４２】
２．１）で言及されたポリマーの混合物、例えばポリプロピレンとポリイソブチレン、ポリプロピレンとポリエチレン（例えば、ＰＰ／ＨＤＰＥ、ＰＰ／ＬＤＰＥ）の混合物、及び異なる型のポリエチレンの混合物（例えば、ＬＤＰＥ／ＨＤＰＥ）。
【００４３】
３．モノオレフィン及びジオレフィンと互いの又は他のビニルモノマーとのコポリマー、例えばエチレン／プロピレンコポリマー、線状低密度ポリエチレン（ＬＬＤＰＥ）及びそれの低密度ポリエチレン（ＬＤＰＥ）との混合物、プロピレン／ブテ−１−エンコポリマー、プロピレン／イソブチレンコポリマー、エチレン／ブテ−１−エンコポリマー、エチ
レン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えば、エチレン／ノルボルネン様ＣＯＣ）、１−オレフィンがその場で生成されるエチレン／１−オレフィンコポリマー、プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／ビニルアセテートコポリマー又はエチレン／アクリル酸コポリマー及びそれらの塩（アイオノマー）並びにエチレンとプロピレン及びへキサジエン、ジシクロペンタジエン又はエチリデン−ノルボルネンのようなジエンとのターポリマー；及びそのようなコポリマーの互いの及び１）で上述したポリマーとの混合物、例えばポリプロピレン／エチレン−プロピレンコポリマー、ＬＤＰＥ／エチレン−ビニルアセテートコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び交互の又はランダムのポリアルキレン／一酸化炭素コポリマー及びそれらの他のポリマー、例えばポリアミドとの混合物。
【００４４】
４．炭化水素樹脂の水素化変性物（例えば粘着付与剤）を含む炭化水素樹脂（例えば炭素原子数５ないし９）及びポリアルキレン及びデンプンの混合物。
【００４５】
１．）ないし４．）のホモポリマー及びコポリマーは、シンジオタクチック、アイソタクチック、ヘミ−アイソタクチック又はアタクチックを含むどの立体構造をも有し得；アタクチックポリマーが好ましい。ステレオブロックポリマーも同様に含まれる。
【００４６】
５．ポリスチレン、ポリ（ｐ−メチルスチレン）、ポリ（α−メチルスチレン）。
【００４７】
６．スチレン、α−メチルスチレン、ビニルトルエンの全ての異性体、特にｐ−ビニルトルエン、エチルスチレン、プロピルスチレン、ビニルビフェニル、ビニルナフタレン、及びビニルアントラセンの全ての異性体、及びそれらの混合物を含む芳香族ビニルモノマーから誘導された芳香族ホモポリマー及びコポリマー。ホモポリマー及びコポリマーはシンジオタクチック、アイソタクチック、ヘミ−アイソタクチック又はアタクチックを含むどの立体構造をも有し得；アタクチックポリマーが好ましい。ステレオブロックポリマーも同様に含まれる。
６ａ．エチレン、プロピレン、ジエン、ニトリル、酸、マレイン酸無水物、マレイミド、ビニルアセテート及び塩化ビニル又はアクリル誘導体及びその混合物から選択される上述された芳香族ビニルモノマー及びコモノマーを含むコポリマー、例えば、スチレン／ブタジエン、スチレン／アクリロニトリル、スチレン／エチレン（共重合体）、スチレン／アルキルメタクリレート、スチレン／ブタジエン／アルキルアクリレート、スチレン／ブタジエン／アルキルメタクリレート、スチレン／マレイン酸無水物、スチレン／アクリロニトリル／メチルアクリレート；スチレンコポリマー及び他のポリマー、例えばポリアクリレート、ジエンポリマー又はエチレン／プロピレン／ジエンターポリマーの高耐衝撃性の混合物；及びスチレン／ブタジエン／スチレン、スチレン／イソプレン／スチレン、スチレン／エチレン／ブチレン／スチレン又はスチレン／エチレン／プロピレン／スチレンのようなスチレンのブロックコポリマー。
６ｂ．６ａ．）で言及されたポリマーの水素化から誘導された水素化芳香族ポリマー、特にアタクチックポリスチレンを水素化することにより調製されるポリシクロヘキシルエチレン（ＰＣＨＥ）を含み、しばしばポリビニルシクロヘキサン（ＰＶＣＨ）として言及される。
６ｃ．６ａ．）で言及されたポリマーの水素化から誘導された水素化芳香族ポリマー。
ホモポリマー及びコポリマーはシンジオタクチック、アイソタクチック、ヘミ−アイソタクチック又はアタクチックを含むどの立体構造をも有し得；アタクチックポリマーが好ましい。ステレオブロックポリマーも同様に含まれる。
【００４８】
７．スチレン又はα−メチルスチレンのような芳香族ビニルモノマーのグラフトコポリマー、例えばポリブタジエンにスチレン、ポリブタジエン−スチレン又はポリブタジエン−アクリロニトリルコポリマーにスチレン；ポリブタジエンにスチレン及びアクリロニトリル（又はメタクリロニトリル）；ポリブタジエンにスチレン、アクリロニトリル及びメチルメタクリレート；ポリブタジエンにスチレン及びマレイン酸無水物；ポリブタジエンにスチレン、アクリロニトリル及びマレイン酸無水物又はマレイミド；ポリブタジエンにスチレン及びマレイミド；ポリブタジエンにスチレン及びアルキルアクリレート又はメタクリレート；エチレン／プロピレン／ジエンターポリマーにスチレン及びアクリロニトリル；ポリアルキルアクリレート又はポリアルキルメタクリレートにスチレン及びアクリロニトリル、アクリレート／ブタジエンコポリマーにスチレン及びアクリロニトリル、並びにそれらの６）に列挙されたコポリマーとの混合物、例えばＡＢＳ、ＭＢＳ、ＡＳＡ又はＡＥＳポリマーとして既知であるコポリマー混合物。
【００４９】
８．ポリクロロプレン、塩化ゴム、イソブチレン−イソプレンの塩化及び臭化コポリマー（ハロブチルゴム）、塩化又はスルホ塩化ポリエチレン、エチレン及び塩化エチレンのコポリマー、エピクロロヒドリンホモ−及びコポリマー、特にハロゲン含有ビニル化合物のポリマー、例えば、ポリ塩化ビニル、ポリ塩化ビニリデン、ポリフッ化ビニル、ボリフッ化ビニリデン並びに塩化ビニル／塩化ビニリデン、塩化ビニル／酢酸ビニル又は塩化ビニリデン／酢酸ビニルのようなそれらのコボリマーのようなハロゲン含有ポリマー。
【００５０】
９．α，β−不飽和酸から誘導されたポリマー及びポリアクリレート及びポリメタクリレートのようなそれらの誘導体；ブチルアクリレートで耐衝撃性改質されたポリメチルメタクリレート、ポリアクリルアミド及びポリアクリロニトリル。
【００５１】
１０．９）で言及されたモノマーの互いの又は他の不飽和モノマーとのコポリマー、例えばアクリロニトリル／ブタジエンコポリマー、アクリロニトリル／アルキルアクリレートコポリマー、アクリロニトリル／アルコキシアルキルアクリレート又はアクリロニトリル／ビニルハライドコポリマー又はアクリロニトリル／アルキルメタクリレート／ブタジエンターポリマー。
【００５２】
１１．不飽和アルコール及びアミンから誘導されたポリマー又はそれらのアシル誘導体又はアセタール、例えばポリビニルアルコール、ポリ酢酸ビニル、ポリビニルステアレート、ポリビニルベンゾエート、ポリビニルマレエート、ポリビニルブチラール、ポリアリルフタレート又はポリアリルメラミン；並びに上記の１）で言及されたオレフィンとそれらのコポリマー。
【００５３】
１２．ポリアルキレングリコール、ボリエチレンオキシド、ポリプロピレンオキシド又はビスグリシジルエーテルとそれらのコポリマーのような環式エーテルのホモポリマー及びコポリマー。
【００５４】
１３．ポリオキシメチレンのようなポリアセタール及びコモノマーとしてエチレンオキシドを含有するそれらのポリオキシメチレン；熱可塑性ポリウレタン、アクリレート又はＭＢＳで変性されたポリアセタール。
【００５５】
１４．ポリフェニレンオキシド及びスルフィド、及びポリフェニレンオキシドとスチレンポリマー又はポリアミドとの混合物。
【００５６】
１５．一方はヒドロキシル基末端ポリエーテル、ポリエステル及びポリブタジエンと、他方は脂肪族又は芳香族のポリイソシアナートから誘導されたポリウレタン、並びにそれらの前駆体。
【００５７】
１６．ジアミンとジカルボン酸から及び／又はアミノカルボン酸又は対応するラクタムから誘導されたポリアミド及びコポリアミド、例えばポリアミド４、ポリアミド６、ポリアミド６／６、６／１０、６／９、６／１２、４／６、１２／１２、ポリアミド１１、ポリアミド１２、ｍ−キシレン、ジアミン及びアジピン酸から開始した芳香族ポリアミド；へキサメチレンジアミン及びイソフタル酸及び／又はテレフタル酸から及び変性剤としてのエラストマーを用いて又は用いずに調製されたポリアミド、例えばポリ−２，４，４−トリメチルヘキサメチレンテレフタルアミド又はポリ−ｍ−フェニレンイソフタルアミド：及び同じように上述されたポリアミドとポリオレフィン、オレフィンコポリマー、アイオノマー又は化学的に結合された又はグラフトされたエラストマーとの；又は例えばポリエチレングリコール、ポリプロピレングリコール又はポリテトラメチレングリコールのようなポリエーテルとのブロックコポリマー；並びにＥＰＤＭ又はＡＢＳで変性されたポリアミド又はコポリアミド；及びプロセスの間に縮合されたポリアミド（ＲＩＭポリアミド系）。
【００５８】
１７．ポリ尿素、ポリイミド、ボリアミド−イミド、ポリエーテルイミド、ポリエステルイミド、ポリヒダントイン及びポリベンズイミダゾール。
【００５９】
１８．ジカルボン酸とジオールから及び／又はヒドロキシカルボン酸又は対応するラクトンから誘導されたポリエステル、例えばポリエチレンテレフタレート、ポリブチレンテレフタレート、ポリ−１，４−ジメチロールシクロヘキサンテレフタレート、ポリアルキレンナフタレート（ＰＡＮ）及びポリヒドロキシベンゾエート、並びにヒドロキシル末端ポリエーテルから誘導されたブロックコポリエーテルエステル；及びまたポリカーボネート又はＭＢＳで変性されたポリエステル。
【００６０】
１９．ポリカーボネート及びポリエステルカーボネート。
【００６１】
２０．ポリケトン。
【００６２】
２１．ポリスルホン、ポリエーテルスルホン及びポリエーテルケトン。
【００６３】
２２．フェノール／ホルムアルデヒド樹脂、尿素／ホルムアルデヒド樹脂及びメラミン／ホルムアルデヒド樹脂のような一方はアルデヒド、及び他方はフェノール、尿素及びメラミンから誘導された架橋ポリマー。
【００６４】
２３．乾性及び非乾性アルキド樹脂。
【００６５】
２４．飽和及び不飽和ジカルボン酸と、架橋剤としての多価アルコール及びビニル化合物とのコポリエステルから誘導される不飽和ポリエステル樹脂、及びまた低易燃性のこれらのハロゲン含有変性体。
【００６６】
２５．置換されたアクリレートから誘導された架橋性アクリル樹脂、例えばエポキシアクリレート、ウレタンアクリレート又はポリエステルアクリレート。
【００６７】
２６．メラミン樹脂、尿素樹脂、イソシアネート、イソシアヌレート、ポリイソシアネート又はエポキシ樹脂で架橋されたアルキド樹脂、ポリエステル樹脂及びアクリレート樹脂。
【００６８】
２７．酸無水物又はアミンのような慣用の硬化剤により、又は促進剤を伴って又は伴わずに架橋された、脂肪族、脂環式、複素環式又は芳香族グリシジル化合物、例えばビスフェノールＡとビスフェノールＦのジグリシジルエーテル生成物から誘導される架橋されたエポキシ樹脂。
【００６９】
２８．セルロース、ゴム、ゼラチンのような天然ポリマー、並びに化学的に変性されたそれらの同族誘導体、例えば、酢酸セルロース、プロピオン酸セルロース及び酪酸セルロース、又はメチルセルロースのようなセルロースエーテル；並びにロジン及びその誘導体。
【００７０】
２９．前述されたポリマーのブレンド（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【００７１】
好ましくは、キャリア（ｉｉ）は、上記項目１ないし３及び５ないし６ａに記載されるポリマー、特にポリエチレン、ポリプロピレン、ポリスチロール、とりわけポリプロピレン、及びアクリロニトリル（ａｃｒｙｌｏｎｔｉｒｌｅ）−ブタジエン−スチレンコポリマーのようなこれらのポリマーを含有するコポリマーである。
【００７２】
有機ポリマーへの配合は、β−フェニルビニルケトン又はω−フェニルポリアセチレニルケトンと少なくとも１種の酸性水素及び塩基を混合又は適用することによって、又は式（ＩＩ）ないし（ＶＩ）で表される化合物もしくはそれらの互変異性体の１種及び、必要に応じて、技術的に慣用である方法によって更なる添加剤を混合又は適用することによって達成し得る。前記配合は、成形作業の前に又は間に、又は次の溶媒の蒸発を伴い又は伴わないでポリマーに溶解した又は分散した化合物を適用することによって行われ得る。エラストマーの場合、それらはまた結晶格子として安定化し得る。
【００７３】
ポリマーに上記の化合物を配合するための更なる可能性は、それらを対応するモノマーの重合前、間又は直後、又は架橋より前に加えることである。これに関して、上記の化合物はそのまま或いはカプセル化形態（例えば、ワックス、オイル又はポリマー）で加えられ得る。
【００７４】
ここに記載される化合物は、同様に例えばキャリア材料（ｉｉ）に２．５ないし２５質量％の濃度で前記化合物含有マスターバッチの形態で加えられ得る。
【００７５】
ここに記載される化合物は、下記の方法によって慎重に配合し得る：
−エマルジョン又は分散液として（例えば結晶格子又はエマルジョンポリマーに）
−付加的な成分又はポリマー混合物の混合中の乾燥混合物として
−処理装置への直接導入によって（例えば、押出し機、密閉混合機等）
−溶液又は溶融物として
【００７６】
少なくとも１種の酸性水素及び塩基を有するβ−フェニルビニルケトン又はω−フェニルポリアセチレニルケトン、又は式（ＩＩ）ないし（ＶＩ）で表される化合物又はそれらの互変異性体は、添加剤を伴い又は伴わないで、またプラスチック製品、繊維、フィルム
、紙又はコーティングのようなキャリア材料（ｉｉ）上に噴霧し得る。他の添加剤（例えば上に示した慣用の添加剤）又はそれらの溶融物は希釈することができるので、それらをこれらの添加剤とともに該キャリア材料（ｉｉ）に噴霧することもできる。
【００７７】
興味深いのは、更なる添加剤を含む、上記に定義された可逆熱変色性組成物である。
【００７８】
好ましくは、更なる添加剤は、抗酸化剤、ＵＶ吸収剤、光安定剤、金属奪活剤、加工安定剤、チオ相乗剤、過酸化物捕捉剤、酸素捕捉剤、塩基性補助安定剤、核剤、充填材、強化剤、防炎加工剤（ｆｌａｍｅｐｒｏｏｆｉｎｇ  ａｇｅｎｔ）、蛍光増白剤及び／又は付加的な着色剤（例えば、染料及び／又は顔料）であり、但し、該付加的な着色剤はサーモクロミック効果を抑制せず及び遮へいしない。
【００７９】
最も好ましくは、更なる添加剤はフェノール系抗酸化剤、アミン系抗酸化剤、ホスフィット、ホスホナイト、ヒドロキシルアミン、ニトロン、ベンゾフラノン、インドリノン、２−（２−ヒドロキシルフェニル）ベンゾトリアゾール、２−ヒドロキシベンゾフェノン、２−（２−ヒドロキシフェニル）−１，３，５−トリアジン、オキサミド、立体障害性アミン、顔料及び／又は染料である。
【００８０】
更なる添加剤の例は以下である：
１．抗酸化剤
１．１．アルキル化モノフェノール、
例えば２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、線状又は側鎖において枝分かれしたノニルフェノール、例えば、２，６−ジ−ノニル−４−メチルフェノール、２，４−ジメチル−６−（１’−メチルウンデシ―１’―イル）フェノール、２，４−ジメチル−６−（１’−メチルヘプタデシ−１’−イル）フェノール、２，４−ジメチル−６−（１’−メチルトリデシ−１’−イル）フェノール及びそれらの混合物。
【００８１】
１．２．アルキルチオメチルフェノール、
例えば、２，４−ジオクチルチオメチル−６−第三−ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００８２】
１．３．ヒドロキノン及びアルキル化ヒドロキノン、
例えば、２，６−ジ−第三−ブチル−４−メトキシフェノール、２，５−ジ−第三−ブチルヒドロキノン、２，５−ジ−第三−アミルヒドロキノン、２，６−ジフェニル−４−オクタデシルオキシフェノール、２，６−ジ−第三−ブチルヒドロキノン、２，５−ジ−第三−ブチル−４−ヒドロキシアニソール、３，５−ジ−第三−ブチル−４−ヒドロキシアニソール、３，５−ジ−第三−ブチル−４−ヒドロキシフェニルステアレート、ビス（３，５−ジ−第三−ブチル−４−ヒドロキシフェニル）アジペート。
【００８３】
１．４．トコフェロール、
例えば、α−トコフェロール、β−トコフェロール、γ−トコフェロール、δ−トコフェロール及びそれらの混合物（ビタミンＥ）。
【００８４】
１．５．ヒドロキシル化チオジフェニルエーテル、
例えば、２，２’−チオビス（６−第三−ブチル−４−メチルフェノール）、２，２’−チオビス（４−オクチルフェノール）、４，４’−チオビス（６−第三−ブチル−３−メチルフェノール）、４，４’−チオビス（６−第三−ブチル−２−メチルフェノール）、４，４’−チオビス（３，６−ジ−第二−アミルフェノール）、４，４’−ビス（２，６−ジメチル−４−ヒドロキシフェニル）ジスルフィド。
【００８５】
１．６．アルキリデンビスフェノール、
例えば、２，２’−メチレンビス（６−第三−ブチル−４−メチルフェノール）、２，２’−メチレンビス（６−第三−ブチル−４−エチルフェノール）、２，２’−メチレンビス［４−メチル−６−（α−メチルシクロヘキシル）−フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第三−ブチルフェノール）、２，２’−エチリデンビス（４，６−ジ−第三−ブチルフェノール）、２，２’−エチリデンビス（６−第三−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−第三−ブチルフェノール）、４，４’−メチレンビス（６−第三−ブチル−２−メチルフェノール）、１，１−ビス（５−第三−ブチル−４−ヒドロキシ−２−メチルフェニル）ブタン、２，６−ビス（３−第三−ブチル−５−メチル−２−ヒドロキシベンジル）−４−メチルフェノール、１，１，３−トリス（５−第三−ブチル−４−ヒドロキシ−２−メチルフェニル）ブタン、１，１−ビス（５−第三−ブチル−４−ヒドロキシ−２−メチル−フェニル）−３−ｎ−ドデシルメルカプトブタン、エチレングリコールビス［３，３−ビス（３’−第三−ブチル−４’−ヒドロキシフェニル）ブチレート］、ビス（３−第三−ブチル−４−ヒドロキシ−５−メチルフェニル）ジシクロペンタジエン、ビス［２−（３’−第三−ブチル−２’−ヒドロキシ−５’−メチルベンジル）−６−第三−ブチル−４−メチルフェニル］テレフタレート、１，１−ビス−（３，５−ジメチル−２−ヒドロキシフェニル）ブタン、２，２−ビス（３，５−ジ−第三−ブチル−４−ヒドロキシフェニル）プロパン、２，２−ビス−（５−第三−ブチル−４−ヒドロキシ２−メチルフェニル）−４−ｎ−ドデシルメルカプトブタン、１，１，５，５−テトラ（５−第三−ブチル−４−ヒドロキシ−２−メチルフェニル）ペンタン。
【００８６】
１．７．Ｏ−、Ｎ−及びＳ−ベンジル化合物、
例えば、３，５，３’，５’−テトラ−第三−ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−第三−ブチルベンジルメルカプトアセテート、トリス（３，５−ジ−第三−ブチル−４−ヒドロキシベンジル）アミン、ビス（４−第三−ブチル−３−ヒドロキシ−２，６−ジメチルベンジル）ジチオテレフタレート、ビス（３，５−ジ−第三−ブチル−４−ヒドロキシベンジル）スルフィド、イソオクチル−３，５−ジ−第三−ブチル−４−ヒドロキシベンジルメルカプトアセテート。
【００８７】
１．８．ヒドロキシベンジル化マロネート、
例えば、ジオクタデシル−２，２−ビス（３，５−ジ−第三−ブチル−２−ヒドロキシベンジル）マロネート、ジ−オクタデシル−２−（３−第三−ブチル−４−ヒドロキシ−５−メチルベンジル）マロネート、ジドデシルメルカプトエチル−２，２−ビス（３，５−ジ−第三−ブチル−４−ヒドロキシベンジル）マロネート、ビス−［４−（１，１，３，３−テトラメチルブチル）フェニル］−２，２−ビス（３，５−ジ−第三−ブチル−４−ヒドロキシベンジル）マロネート。
【００８８】
１．９．芳香族ヒドロキシベンジル化合物、
例えば、１，３，５−トリス（３，５−ジ−第三−ブチル−４−ヒドロキシベンジル）−２，４，６−トリメチルベンゼン、１，４−ビス（３，５−ジ−第三−ブチル−４−ヒドロキシベンジル）−２，３，５，６−テトラメチルベンゼン、２，４，６−トリス（３，５−ジ−第三−ブチル−４−ヒドロキシベンジル）フェノール。
【００８９】
１．１０．トリアジン化合物、
例えば、２，４−ビス（オクチルメルカプト）−６−（３，５−ジ−第三−ブチル−４−ヒドロキシアニリノ）−１，３，５−トリアジン、２−オクチルメルカプト−４，６−ビス（３，５−ジ−第三−ブチル−４−ヒドロキシアニリノ）−１，３，５−トリアジン、２−オクチルメルカプト−４，６−ビス（３，５−ジ−第三−ブチル−４−ヒドロキシフェノキシ）−１，３，５−トリアジン、２，４，６−トリス（３，５−ジ−第三−ブチル−４−ヒドロキシフェノキシ）−１，２，３−トリアジン、１，３，５−トリス（３，５−ジ−第三−ブチル−４−ヒドロキシベンジル）イソシアヌレート、１，３，５−トリス（４−第三−ブチル−３−ヒドロキシ−２，６−ジメチルベンジル）イソシアヌレート、２，４，６−トリス−（３，５−ジ−第三−ブチル−４−ヒドロキシフェニルエチル）−１，３，５−トリアジン、１，３，５−トリス（３，５−ジ−第三−ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【００９０】
１．１１．ベンジルホスホネート、
例えば、ジメチル−２，５−ジ−第三−ブチル−４−ヒドロキシベンジルホスホネート、ジエチル−３，５−ジ−第三−ブチル−４−ヒドロキシベンジルホスホネート、ジオクタデシル−３，５−ジ−第三−ブチル−４−ヒドロキシベンジルホスホネート、ジオクタデシル−５−第三−ブチル−４−ヒドロキシ−３−メチルベンジルホスホネート、３，５−ジ−第三−ブチル−４−ヒドロキシベンジルホスホン酸のモノエチルエステルのカルシウム塩。
【００９１】
１．１２．アシルアミノフェノール、
例えば、４−ヒドロキシラウラニリド、４−ヒドロキシステアラニリド、オクチルＮ−（３，５−ジ−第三−ブチル−４−ヒドロキシフェニル）カルバメート。
【００９２】
１．１３．β−（３，５−ジ−第三−ブチル−４−ヒドロキシフェニル）プロピオン酸のエステルであって、一価又は多価アルコール、例えば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００９３】
１．１４．β−（５−第三−ブチル−４−ヒドロキシ−３−メチルフェニル）プロピオン酸のエステルであって、一価または多価アルコール、例えば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビ
ス［２−｛３−（３−第三−ブチル−４−ヒドロキシ−５−メチルフェニル）プロピオニルオキシ｝−１，１−ジメチルエチル］−２，４，８，１０−テトラオキサスピロ［５．５］−ウンデカンとのエステル。
【００９４】
１．１５．β−（３，５−ジシクロヘキシル−４−ヒドロキシフェニル）プロピオン酸のエステルであって、一価又は多価アルコール、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）−オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００９５】
１．１６．３，５−ジ−第三−ブチル−４−ヒドロキシフェニル酢酸のエステルであって、一価又は多価アルコール、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００９６】
１．１７．β−（３，５−ジ−第三−ブチル−４−ヒドロキシフェニル）プロピオン酸のアミド、例えば、Ｎ，Ｎ’−ビス（３，５−ジ−第三−ブチル−４−ヒドロキシフェニルプロピオニル）ヘキサメチレンジアミド、Ｎ，Ｎ’−ビス（３，５−ジ−第三−ブチル−４−ヒドロキシフェニルプロピオニル）トリメチレンジアミド、Ｎ，Ｎ’−ビス（３，５−ジ−第三−ブチル−４−ヒドロキシフェニルプロピオニル）ヒドラジド、Ｎ，Ｎ’−ビス［２−（３−［３，５−ジ−第三−ブチル−４−ヒドロキシフェニル］プロピオニルオキシ）エチル］オキサミド（ユニロイヤル（Ｕｎｉｒｏｙａｌ）によって供給されるナウガードＸＬ−１；登録商標：Ｎａｕｇａｒｄ）。
【００９７】
１．１８．アスコルビン酸（ビタミンＣ）
【００９８】
１．１９．アミン酸化防止剤 、
例えば、Ｎ，Ｎ’−ジ−イソプロピル−ｐ−フェニレンジアミン、Ｎ，Ｎ’−ジ−第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三−オクチルフェニル）−１−ナフチルアミン、Ｎ−フェニル−２−ナフチルアミン、オクチル化ジフェニルアミン、例えばｐ，ｐ’−ジ−第三−オクチルジフ
ェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三−ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三−オクチル化Ｎ−フェニル−１−ナフチルアミン、モノ−及びジアルキル化第三−ブチル／第三−オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三−ブチルジフェニルアミンの混合物、２，３−ジヒドロ−３，３−ジメチル−４Ｈ−１，４−ベンゾチアジン、フェノチアジン、モノ−及びジアルキル化第三−ブチル／第三−オクチルフェノチアジンの混合物、モノ−及びジアルキル化第三−オクチルフェノチアジンの混合物、Ｎ−アリルフェノチアジン、Ｎ，Ｎ，Ｎ’，Ｎ’−テトラフェニル−１，４−ジアミノブテ−２−エン。
【００９９】
２．ＵＶ吸収剤及び光安定剤
２．１．２−（２’−ヒドロキシフェニル）ベンゾトリアゾール、
例えば、２−（２’−ヒドロキシ−５’−メチルフェニル）ベンゾトリアゾール、２−（３’，５’−ジ−第三−ブチル−２’−ヒドロキシフェニル）ベンゾトリアゾール、２−（５’−第三−ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−第三−ブチル−２’−ヒドロキシフェニル）−５−クロロ−ベンゾトリアゾール、２−（３’−第三−ブチル−２’−ヒドロキシ−５’−メチルフェニル）−５−クロロ−ベンゾトリアゾール、２−（３’−第二−ブチル−５’−第三−ブチル−２’−ヒドロキシフェニル）ベンゾトリアゾール、２−（２’−ヒドロキシ−４’−オクチルオキシフェニル）ベンゾトリアゾール、２−（３’，５’−ジ−第三−アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三−ブチル−２’−ヒドロキシ−５’−（２−オクチルオキシカルボニルエチル）フェニル）−５−クロロベンゾトリアゾール、２−（３’−第三−ブチル−５’−［２−（２−エチルヘキシルオキシ）カルボニルエチル］−２’−ヒドロキシフェニル）−５−クロロ−ベンゾトリアゾール、２−（３’−第三−ブチル−２’−ヒドロキシ−５’−（２−メトキシカルボニルエチル）フェニル）−５−クロロ−ベンゾトリアゾール、２−（３’−第三−ブチル−２’−ヒドロキシ−５’−（２−メトキシカルボニルエチル）フェニル）ベンゾトリアゾール、２−（３’−第三−ブチル−２’−ヒドロキシ−５’−（２−オクチルオキシカルボニルエチル）フェニル）ベンゾトリアゾール、２−（３’−第三−ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三−ブチル−２’−ヒドロキシ−５’−（２−イソオクチルオキシカルボニルエチル）フェニルベンゾトリアゾール、２，２’−メチレン−ビス［４−（１，１，３，３−テトラメチルブチル）−６−ベンゾトリアゾレ−２−イルフェノール］；２−［３’−第三−ブチル−５’−（２−メトキシカルボニルエチル）−２’−ヒドロキシフェニル］−２Ｈ−ベンゾトリアゾールとポリエチレングリコール３００とのエステル交換生成物；［Ｒ−ＣＨ2ＣＨ2−ＣＯＯ−ＣＨ2ＣＨ2−］2−、Ｒが３’−第三−ブチル−４’−ヒドロキシ−５’−２Ｈ−ベンゾトリアゾリ−２
−イルフェニル基を表す、２−［２’−ヒドロキシ−３’−（α，α−ジメチルベンジル）−５’−（１，１，３，３−テトラメチルブチル）−フェニル］ベンゾトリアゾール；２−［２’−ヒドロキシ−３’− （１，１，３，３−テトラメチルブチル）−５’−（
α，α−ジメチルベンジル）フェニル］ベンゾトリアゾール。
【０１００】
２．２．２−ヒドロキシベンゾフェノン、
例えば、４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体。
【０１０１】
２．３．置換された及び未置換の安息香酸のエステル、
例えば、４−第三−ブチル−フェニルサリチレート、フェニルサリチレート、オクチルフェニルサリチレート、ジベンゾイルレゾルシノール、ビス（４−第三−ブチルベンゾイル）レゾルシノール、ベンゾイルレゾルシノール、２，４−ジ−第三−ブチルフェニル３，５−ジ−第三−ブチル−４−ヒドロキシベンゾエート、ヘキサデシル３，５−ジ−第三−ブチル−４−ヒドロキシベンゾエート、オクタデシル３，５−ジ−第三−ブチル−４−ヒドロキシベンゾエート、２−メチル−４，６−ジ−第三−ブチルフェニル３，５−ジ−第三−ブチル−４−ヒドロキシベンゾエート。
【０１０２】
２．４．アクリレート、
例えば、エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメート、Ｎ−（β−カルボメトキシ−β−シアノビニル）−２−メチルインドリン、ネオペンチルテトラ（α−シアノ−β，β−ジフェニルアクリレート。
【０１０３】
２．５．ニッケル化合物、
例えば、ｎ−ブチルアミン、トリエタノールアミン又はＮ−シクロヘキシルジエタノールアミンのような付加的な配位子を伴うか又は伴わない１：１又は１：２錯体のような２，２’−チオ−ビス［４−（１，１，３，３−テトラメチルブチル）フェノール］のニッケル錯体、ニッケルジブチルジチオカルバメート、モノアルキルエステルのニッケル塩、例えば４−ヒドロキシ−３，５−ジ−第三−ブチルベンジルホスホン酸のメチル又はエチルエステル、ケトキシムのニッケル錯体、例えば２−ヒドロキシ−４−メチルフェニル−ウンデシルケトキシムのニッケル錯体、付加的な配位子を伴うか又は伴わない１−フェニル−４−ラウロイル−５−ヒドロキシピラゾールのニッケル錯体。
【０１０４】
２．６．立体障害アミン、
例えば、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−第三−ブチル−４−ヒドロキシベンジルマロネート、１−（２−ヒドロキシエチル）−２，２，６，６−テトラメチル−４−ヒドロキシピペリジンとコハク酸の縮合物、Ｎ，Ｎ’−ビス（２，２，６，６−テトラメチル−４−ピペリジル）ヘキサメチレンジアミンと４−第三−オクチルアミノ−２，６−ジクロロ−１，３，５−トリアジンの線状又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三−ブチルベ
ンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）−ヘキサメチレンジアミンと４−モルホリノ−２，６−ジクロロ−１，３，５−トリアジンの線状又は環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合物、１，２−ビス（３−アミノプロピルアミノ）エタンと２，４，６−トリクロロ−１，３，５−トリアジン並びに４−ブチルアミノ−２，２，６，６−テトラメチルピペリジンの縮合物（ＣＡＳ登録番号［１３６５０４−９６−６］）；１，６−ヘキサンジアミンと２，４，６−トリクロロ−１，３，５−トリアジン並びにＮ，Ｎ−ジブチルアミンと４−ブチルアミノ−２，２，６，６−テトラメチルピペリジン（ＣＡＳ登録番号［１９２２６８−６４−７］）の縮合物；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジアザ−４−オキソ−スピロ［４．５］デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミ���ピペリジン又は１，２，２，６，６−ペンタメチル−４−アミノピペリジンとの反応生成物、２，４−ビス［Ｎ−（１−シクロヘキシルオキシ−２，２，６，６−テトラメチルピペリジン−４−イル）−Ｎ−ブチルアミノ］−６−（２−ヒドロキシエチル）アミノ−１，３，５−トリアジン、１−（２−ヒドロキシ−２−メチルプロポキシ）−４−オクタデカノイルオキシ−２，２，６，６−テトラメチルピペリジン、５−（２−エチルヘキサノイル）オキシメチル−３，３，５−トリメチル−２−モルホリノン、サンデュボア（Ｓａｎｄｕｖｏｒ）（クラリアント社製；ＣＡＳ登録番号１０６９１７−３１−１］、５−（２−エチルヘキサノイル）オキシメチル−３，３，５−トリメチル−２−モルホリノン、２，４−ビス［（１−シクロヘキシルオキシ−２，２，６，６−ピペリジン−４−イル）ブチルアミノ］−６−クロロ−ｓ−トリアジンとＮ，Ｎ’−ビス（３−アミノプロピル）エチレンジアミン）の反応生成物、１，３，５−トリス（Ｎ−シクロヘキシル−Ｎ−（２，２，６，６−テトラメチルピペラジン−３−オン−４−イル）アミノ）−ｓ−トリアジン、１，３，５−トリス（Ｎ−シクロへキシル−Ｎ−（１，２，２，６，６−ペンタメチルピペラジン−３−オン−４−イル）アミノ）−ｓ−トリアジン。
【０１０５】
２．７．オキサミド、
例えば、４，４’−ジオクチルオキシオキサニリド、２，２’−ジエトキシオキサニリド、２，２’−ジオクチルオキシ−５，５’−ジ−第三−ブトキサニリド、２，２’−ジドデシルオキシ−５，５’−ジ−第三−ブトキサニリド、２−エトキシ−２’−エチルオキサニリド、Ｎ，Ｎ’−ビス（３−ジメチルアミノプロピル）オキサミド、２−エトキシ−５−第三−ブチル−２’−エトキサニリド及びそれと２−エトキシ−２’−エチル−５，４’−ジ−第三−ブトキサニリドとの混合物、ｏ−及びｐ−メトキシ−二置換オキサニリドの混合物及びｏ−及びｐ−エトキシ−二置換オキサニリドの混合物。
【０１０６】
２．８． ２−（２−ヒドロキシフェニル）−１，３，５−トリアジン、
例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロピルオキシ）フェニル］−４，６−ビス（２，４−ジメチル）−１，３，５−トリアジン、２−［２−ヒドロキシ−４−（２−ヒドロキシ−３−オクチルオキシプロポキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン、２，４−ビス（４−［２−エチルヘキシルオキシ］−２−ヒドロキシフェニル）−６−（４−メトキシフェニル）−１，３，５−トリアジン。
【０１０７】
３．金属奪活剤、
例えば、Ｎ，Ｎ’−ジフェニルオキサミド、Ｎ−サリチラル−Ｎ’−サリチロイル−ヒドラジン、Ｎ，Ｎ’−ビス（サリチロイル）ヒドラジン、Ｎ，Ｎ’−ビス（３，５−ジ−第三−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【０１０８】
４．ホスフィット及びホスホニット、
例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、
トリス（２，４−ジ−第三−ブチルフェニル）ホスフィット、ジイソデシルペンタエリトリトールジホスフィット、ビス（２，４−ジ−第三−ブチルフェニル）ペンタエリトリトールジホスフィット、ビス（２，４−ジ−クミルフェニル）ペンタエリトリトールジホスフィット、ビス（２，６−ジ−第三−ブチル−４−メチルフェニル）ペンタエリトリトールジホスフィット、ジイソデシルオキシペンタエリトリトールジホスフィット、ビス（２，４−ジ−第三−ブチル−６−メチルフェニル）ペンタエリトリトールジホスフィット、ビス（２，４，６−トリス（第三−ブチルフェニル）ペンタエリトリトールジホスフィット、トリステアリルソルビトールトリホスフィット、テトラキス（２，４−ジ−第三−ブチルフェニル）４，４’−ビフェニレンジホスホニット、６−イソオクチルオキシ−２，４，８，１０−テトラ−第三−ブチル−１２Ｈ−ジベンズ［ｄ，ｇ］−１，３，２−ジオキサホスホシン、ビス（２，４−ジ−第三−ブチル−６−メチルフェニル）メチルホスフィット、ビス（２，４−ジ−第三−ブチル−６−メチルフェニル）エチルホスフィット、６−フルオロ−２，４，８，１０−テトラ−第三−ブチル−１２−メチル−ジベンズ［ｄ，ｇ］−１，３，２−ジオキサホスホシン、２，２’，２”−ニトリロ［トリエチルトリス（３，３’，５，５’−テトラ−第三−ブチル−１，１’−ビフェニル−２，２’−ジイル）−ホスフィット］、２−エチルヘキシル（３，３’，５，５’−テトラ−第三−ブチル−１，１’−ビフェニル−２，２’−ジイル）ホスフィット、５−ブチル−５−エチル−２−（２，４，６−トリ−第三−ブチルフェノキシ）−１，３，２−ジオキサホスフィラン。
【０１０９】
以下のホスフィットがとりわけ好ましい：
トリス（２，４−ジ−第三−ブチルフェニル）ホスフィット（イルガフォス（登録商標：Ｉｒｇａｆｏｓ）１６８、チバスペシャルティケミカルズ社）、トリス（ノニルフェニル）ホスフィット、
【化２２】
2009525357.tif 000023
【化２３】
2009525357.tif 000024
【０１１０】
５．ヒドロキシルアミン、
例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されたＮ，Ｎ−ジアルキルヒドロキシルアミン。
【０１１１】
６．ニトロン、
例えば、Ｎ−ベンジル−アルファ−フェニルニトロン、Ｎ−エチル−アルファ−メチルニトロン、Ｎ−オクチル−アルファ−ヘプチルニトロン、Ｎ−ラウリル−アルファ−ウンデシルニトロン、Ｎ−テトラデシル−アルファ−トリデシルニトロン、Ｎ−ヘキサデシル−アルファ−ペンタデシルニトロン、Ｎ−オクタデシル−アルファ−ヘプタデシルニトロン、Ｎ−ヘキサデシル−アルファ−ヘプタデシルニトロン、Ｎ−オクタデシル−アルファ−ペンタデシルニトロン、Ｎ−ヘプタデシル−アルファ−ヘプタデシルニトロン、Ｎ−オクタデシル−アルファ−ヘキサデシルニトロン、水素化牛脂アミンから誘導されたＮ，Ｎ−ジアルキルヒドロキシルアミンから誘導されたニトロン。
【０１１２】
７．チオ相乗剤、
例えば、ジラウリルチオジプロピオネート、ジミストリルチオジプロピオネート、ジステアリルチオジプロピオネート又はジステアリルジスルフィド。
【０１１３】
８．過酸化物捕捉剤、
例えば、β−チオジプロピオン酸のエステル、例えば、ラウリル、ステアリル、ミリスチル又はトリデシルエステル、メルカプトベンズイミダゾール又は２−メルカプトベンズイミダゾールの亜鉛塩、亜鉛ジブチルジチオカルバメート、ジオクタデシルジスルフィド、ペンタエリトリトールテトラキス（β−ドデシルメルカプト）プロピオネート。
【０１１４】
９．ポリアミド安定剤
例えば、ヨウ化物及び／又はリン化合物と組み合わせた銅塩及び二価マグネシウムの塩。
【０１１５】
１０．塩基性補助安定剤
例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩及びアルカリ土類金属塩、例えばカルシウムステアレート、亜鉛ステアレート、マグネシウムベヘネート、マグネシウムステアレート、ナトリウムリシノレート及びカリウムパルミテート、アンチモニーピロカテコレート又は亜鉛ピロカテコレート。
【０１１６】
１１．核剤、
例えば、タルクのような無機物質、二酸化チタン、酸化マグネシウムのような金属酸化物、ホスフェート、好ましくはアルカリ土類金属のリン酸塩、炭酸塩又は硫酸塩；モノ−又はポリカルボン酸のような有機化合物及びそれらの塩、例えば、４−第三−ブチル安息香酸、アジピン酸、ジフェニル酢酸、コハク酸ナトリウム又は安息香酸ナトリウム；イオンコポリマー（アイオノマー）のようなポリマー化合物。とりわけ好ましくは１，３：２，４−ビス（３’，４’−ジメチルベンジリデン）ソルビトール、１，３：２，４−ジ（パラメチルジベンジリデン）ソルビトール、及び１，３：２，４−ジ（ベンジリデン）ソルビトール。
【０１１７】
１２．充填材及び強化剤、
例えば炭酸カルシウム、珪酸塩、ガラス繊維、ガラス球、アスベスト、タルク、陶土、雲母、硫酸バリウム、金属酸化物及び水酸化物、カーボンブラック、黒鉛、木粉及び他の天然産品の細粉又は繊維、合成繊維。
【０１１８】
１３．その他の添加剤
例えば可塑剤、潤滑剤、乳化剤、顔料、レオロジー添加剤 、触媒、流れ調整剤、蛍光増
白剤、防炎加工剤、帯電防止剤及び発泡剤。
【０１１９】
１４．ベンゾフラノン及びインドリノン、
例えば、米国特許第４，３２５，８６３号明細書；米国特許第４，３３８，２４４号明細書；米国特許第５，１７５，３１２号明細書；米国特許第５，２１６，０５２号明細書；米国特許第５，２５２，６４３号明細書；独国特許出願公開第４３１６６１１号明細書；独国特許出願公開第４３１６６２２号明細書；独国特許出願公開第４３１６８７６号明細書；欧州特許出願公開第０５８９８３９号明細書、欧州特許出願公開第０５９１１０２号明細書；欧州特許出願公開１２９１３８４号明細書に開示されるもの、又は３−［４−（２−アセトキシエトキシ）フェニル］−５，７−ジ−第三−ブチルベンゾフラノ−２−オン、５，７−ジ−第三−ブチル−３−［４−（２−ステアロイルオキシエトキシ）フェニル］ベンゾフラノ−２−オン、３，３’−ビス［５，７−ジ−第三−ブチル−３−（４−
［２−ヒドロキシエトキシ］フェニル）ベンゾフラノ−２−オン］、５，７−ジ−第三−ブチル−３−（４−エトキシフェニル）ベンゾフラノ−２−オン、３−（４−アセトキシ−３，５−ジメチルフェニル）−５，７−ジ−第三−ブチルベンゾフラノ−２−オン、３−（３，５−ジメチル−４−ピバロイルオキシフェニル）−５，７−ジ−第三−ブチルベンゾフラノ−２−オン、３−（３，４−ジメチルフェニル）−５，７−ジ−第三−ブチルベンゾフラノ−２−オン、３−（２，３−ジメチルフェニル）−５，７−ジ−第三−ブチルベンゾフラノ−２−オン、３−（２−アセチル−５−イソオクチルフェニル）−５−イソオクチルベンゾフラノ−２−オン。
【０１２０】
更なる添加剤は、キャリア材料（ｉｉ）に基づき、０．１ないし１０質量％、例えば０．２ないし５質量％の量で慎重に用いられる。
【０１２１】
本発明の別の局面は、少なくとも１種の酸性水素を有するβ−フェニルビニルケトンと塩基との組み合わせ又は少なくとも１種の酸性水素を有するω−フェニルポリアセチレニルケトンと塩基との組み合わせ、又は上記に定義された式（ＩＩ）ないし（ＶＩ）で表される化合物、もしくはその互変異性体の１種の、可逆熱変色性着色剤としての使用であって、例えば可逆熱変色性系における、例えばキャリア（ｉｉ）のようなキャリアにおけるものである。
【０１２２】
少なくとも１種の酸性水素を有するβ−フェニルビニルケトン又は少なくとも１種の酸性水素を有するω−フェニルポリアセチレニルケトンと上記で定義される塩基との組み合わせが好ましい。
【０１２３】
本発明の他の局面は、少なくとも１種の酸性水素を有するβ−フェニルビニルケトンと塩基との組み合わせ又は少なくとも１種の酸性水素を有するω−フェニルポリアセチレニルケトンと塩基との組み合わせ又は上記で定義される式（ＩＩ）ないし（ＶＩ）で表される化合物もしくはそれらの互変異性体の１種を適用／配合することによる、可逆熱変色性的にキャリア（ｉｉ）のようなキャリアを着色するための方法である。
【０１２４】
塩基が上記で定義されたところの、少なくとも１種の酸性水素を有するβ−フェニルビニルケトンと塩基との組み合わせ又は少なくとも１種の酸性水素を有するω−フェニルポリアセチレニルケトンと塩基との組み合わせを適用／配合することにより、キャリアを可逆熱変色性的に着色するための方法が好ましい。
【０１２５】
本発明の態様は、上記で定義される式（Ｉ）で表される化合物であり、但し、該化合物は
【化２４】
2009525357.tif 000025
ではない。
【０１２６】
好ましくは、少なくとも１つの置換基が、炭素原子数２ないし３０のアルキニル基、炭素原子数７ないし１２のアラルキル基、炭素原子数８ないし１２のアラルキニル基、ＮＯ2、ＣＮ、ＳＲ11、Ｓ（＝Ｏ）Ｒ11、Ｓ（＝Ｏ）2Ｒ11、ＣＯ−Ｏ−Ｒ11、Ｏ−ＣＯ−Ｒ11、ＣＯ−ＮＲ9Ｒ10又はＮＲ9−ＣＯ−Ｒ11であるか又はそれらからなる群から選択される基を含有する。
【０１２７】
より好ましくは、少なくとも１つの置換基がＮＯ2であるか又はそれを含有する。
【０１２８】
最も好ましくは、Ｘは
【化２５】
2009525357.tif 000026
であり、又はＸは未置換の又は置換された炭素原子数８ないし１２のアラルケニル基を表し、
ｎは１を表し、
Ｒ及びＲ’は水素原子を表し、
Ｒ1、Ｒ2、Ｒ2’、Ｒ3、Ｒ3’、Ｒ4、Ｒ5、Ｒ5’、Ｒ6及びＲ6’は、独立して水素原子、ヒドロキシ基、ＮＯ2又はＯＲ11を表し、
Ｒ11は、独立して炭素原子数１ないし３０のアルキル基を表し、
置換されたアラルケニル基はＮＯ2によって置換される。
好ましくは、Ｒ11は、炭素原子数１ないし５のアルキル基、特にメチル基である。
好ましくは、Ｘは、未置換の炭素原子数８ないし１２のアラルケニル基でない。
【０１２９】
上記で概説した可逆熱変色性系の式（Ｉ）で表される化合物に対する選好傾向は、同様に本態様にも適している。
【０１３０】
以下の定義及び実施例は、ここでの用語全てに適用される。
Ｒ9ないしＲ14の少なくとも１つの中で、置換基を１つより多く含有する化合物におい
て、Ｒ9ないしＲ14各々はここで定義されるように独立である。
【０１３１】
ポリアセチレニル基は、例えば、1，３−ブタジエニル基、１，３，５−ヘキサトリエ
ニル基、１，３，５，７−オクタテトラエニル基、１，３，５，７，９−デカペンタエニル基又は１，３，５，７，９，１１−ドデカヘキサエニル基のようなポリアセチレンの一価の基である。
【０１３２】
ここでの定義において、用語アルキル基は、所与の炭素原子の範囲内、例えば、メチル基、エチル基、プロピル基、イソプロピル基、ｎ−ブチル基、第二−ブチル基、イソブチル基、第三−ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、２−メチルヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基及びドデシル基を含む。
【０１３３】
例えば、用語アルキル基は、シクロブチル基、シクロペンチル基、シクロヘキシル基、メチルシクロペンチル基、ジメチルシクロペンチル基及びメチルシクロヘキシル基のようなシクロアルキル基を含む。好ましくは、用語アルキル基はシクロアルキル基を含まない。
【０１３４】
アルケニル基の例は、ビニル基、アリル基、ブテニル基、ペンテニル基、ヘキセニル基、ヘプテニル基、オクテニル基、ノネニル基、デセニル基、ウンデセニル基及びドデセニル基である。用語アルケニル基は、また共役又は非共役であり得る１つより多くの二重結合を有する残基をも含む。
【０１３５】
例えば、用語アルケニル基は、シクロブテニル基、シクロペンテニル基、シクロヘキセニル基、メチルシクロペンテニル基、ジメチルシクロペンテニル基及びメチルシクロヘキセニル基のようなシクロアルケニル基を含む。好ましくは、用語アルケニル基はシクロアルケニル基を含まない。
【０１３６】
アルキニル基の例は、エチニル基、１−プロピニル基、２−プロピニル基、ブチニル基、ペンチニル基、ヘキシニル基、ヘプチニル基、オクチニル基、ノニニル基、デシニル基、ウンデシニル基及びドデシニル基である。用語アルキニル基は、不飽和結合が共役又は非共役であり得る所望により１つ以上の二重結合を有する１つ以上の三重結合を有する残基を含む。
【０１３７】
例えば、用語アルキニル基は、シクロペンチニル基、シクロヘキシニル基、メチルシクロペンチニル基、ジメチルシクロペンチニル基及びメチルシクロシクロヘキシニル基のようなシクロアルキニル基を含む。好ましくは、用語アルキニル基はシクロアルキニル基を
含まない。
【０１３８】
アリール基が、例えばフェニル基又はナフチル基である一方、アラルキル基は例えばベンジル基である。
【０１３９】
アラルケニル基の例は、２−フェニルエテニル基であり、アラルキニル基の例は２−フェニルエチニル基である。
【０１４０】
ハロゲン原子の例は、Ｆ、Ｃｌ、Ｂｒ及びＩ、とりわけＣｌ及びＢｒ、特にＣｌである。
【０１４１】
アルキレン基の例は、メチレン基、エチレン基、プロピレン基、イソプロピレン基、ｎ−ブチレン基、第二−ブチレン基、イソブチレン基、第三−ブチレン基、２−エチルブチレン基、ｎ−ペンチレン基、イソペンチレン基、１−メチルペンチレン基、１，３−ジメチルブチレン基、ｎ−ヘキシレン基、１−メチルヘキシレン基、ｎ−ヘプチレン基、２−メチルへプチレン基、１，１，３，３−テトラメチルブチレン基、１−メチルヘプチレン基、３−メチルへプチレン基、ｎ−オクチレン基、２−エチルヘキシレン基、１，１，３−トリメチルヘキシレン基、１，１，３，３−テトラメチルペンチレン基、ノニレン基、デシレン基、ウンデシレン基、１−メチルウンデシレン基及びドデシレン基である。
【０１４２】
アルケニレン基の例は、所与の炭素原子の範囲内、ビニレン基、アリレン基、ブテニレン基、ペンテニレン基、ヘキセニレン基、ヘプテニレン基、オクテニレン基、ノネニレン基、デセニレン基、ウンデセニレン基及びドデセニレン基である。用語アルケニレン基はまた、共役又は非共役であり得る１つより多くの２重結合を有する残基をも含む。
【０１４３】
例えば、アルコキシ基は、炭素原子の適当な数を有する上記で定義されるアルキル基がＯと結合することを意味する。
例えば、アルケニルオキシ基は、炭素原子の適当な数を有する上記で定義されるアルケニルオキシ基がＯと結合することを意味する。
【０１４４】
アルキレンジオキシ基は、Ｏ−アルキレン−Ｏとして定義し得る。アルケニレンジオキシ基はＯ−アルケニレン−Ｏとして定義し得る。
【０１４５】
例えば、アシル基はアセチル基、プロピオニル基又はブチリル基である。
【０１４６】
脂肪族カルボン酸のいくつかの例は、酢酸、プロピオン酸、酪酸、ステアリン酸である。脂環式カルボン酸の例は、シクロヘキサノン酸である。芳香族カルボン酸の例は、安息香酸である。脂肪族ジカルボン酸の例は、マロニル酸、マレオイル酸、スクシニル酸、アジピン酸又はセバシン酸である。芳香族ジカルボン酸の残基の例はフタロイル基である。
【０１４７】
モノカルボン酸のアシル基は、定義の範囲内で、式−ＣＯ−Ｒ”（式中、Ｒ”はとりわけ定義されるようなアルキル基、アルケニル基、シクロアルキル基又はアリール基を表し得る。）で表される残基である。好ましいアシル基は、アセチル基、ベンゾイル基、アクリロイル基、メタクリロイル基、プロピオニル基、ブチリル基、バレロイル基（ｖａｌｅｒｏｙｌ）、ヘキサノイル基、ヘプタノイル基、オクタノイル基、ノナノイル基、デカノイル基、ウンデカノイル基、ドデカノイル基、ペンタデカノイル基、ステアロイル基である。多価酸のポリアシル基は、式（−ＣＯ）n1−Ｒ”（式中、ｎ１は原子価、例えば２、３、４、５又は６を表す。）で表される。
【０１４８】
ここで記載される化合物は、既知の出発物質から技術的に既知である方法に従い合成し
得る。ここに記載されるいくつかの前記化合物は、市販されている。
【０１４９】
少なくとも１種の酸性水素を有するβ−フェニルビニルケトン又はω−フェニルポリアセチレニルケトンは、ケトン（成分１）と、少なくとも１種の酸性水素を有するフェニルケトン、β−フェニルビニルケトン、ω−フェニルポリアセチレニルケトン、ベンズアルデヒド、β−フェニルビニルアルデヒド又はω−フェニルポリアセチレニルアルデヒド（成分２）とを反応させることによって得られ得る。例えば、成分１と成分２の比は１：１０ないし１０：１、好ましくは１：２ないし２：１、より好ましくは１．５：１ないし１：１．５、最も好ましくは約１：１である。通常、酸又は塩基は触媒として存在する。触媒として適する酸は、Ｈ2ＳＯ4、ＨＢｒのようなハロゲン化水素、ｐ−トルエンスルホン酸もしくはメタンスルホン酸のようなスルホン酸、ホウ酸、ｏ−リン酸又はトリフルオロ酢酸もしくはトリクロロ酢酸のような酢酸である。触媒として適する塩基は、ＫＯＨ、ＮａＯＨもしくはＬｉＯＨのようなアルカリ金属水酸化物又はＭｇ（ＯＨ）2又はＣａ（Ｏ
Ｈ）2のようなアルカリ土類金属水酸化物である。触媒の量は、通常、成分２の１モルに
つき０．００１ないし０．５モルである。反応は、一般的に窒素又はアルゴンのような不活性雰囲気において行われる。本発明の方法は大気圧下（好ましくは）並びに減圧又は高圧下で行われ得る。該反応は、通常５０ないし１５０℃のような高温で行われる。反応は一般的に溶媒、例えばエーテル（例えば、テトラヒドロフラン、ジメトキシエチルエーテル）、アルコール（例えば、メタノール、イソプロパノール、ｎ−ブタノール又は第三アミルアルコール）、芳香族炭化水素（例えば、トルエン、キシレン異性体混合物、メシチレン又はエチルベンゼン）、ハロゲン化芳香族炭化水素（例えば、クロロベンゼン）又はジメチルアセトアミドのような有機溶媒において行われる。得られた生成物は、技術的に既知である方法によって単離し得る。前記得られた生成物は、クロマトグラフィ又は結晶化のような技術的に既知な方法によって精製し得る。
【０１５０】
式（ＩＩ）ないし（ＶＩ）で表される化合物又はそれらの互変異性体の１種は、ａ１）式（Ｉ）で表される化合物とｂ１）ホスフィン又はアミンを混合することによって及びそれらを一緒に反応することによって製造し得る：
Ａ）成分の融点又は軟化点より上の温度で混合物を融解し、そして結果として生じた塩を外界温度まで冷却することによって、又は
Ｂ）都合の良い溶媒において成分ａ１）及びｂ１）を溶解すること、加熱又は真空で溶媒を蒸発すること、及び残留物を外界温度まで冷却することによって。溶媒は両方の成分を溶解することができ（しかしそれらと反応しない）、かつ後で蒸発し得るのであれば、ほとんどの溶媒はこの目的のために使用し得る。溶媒のいくつかの例は、ジクロロメタン、クロロホルム、メタノール、エタノール、テトラヒドロフラン、１，４−ジオキサン、ジメチルホルムアミド、アセトン、アセトニトリル、エチルアセテート及びブチルアセテート並びにそれらの混合物である。
【０１５１】
上記立体障害性アミンは、本質的に既知であり及び市販されている。それらは既知の方法によって製造し得る。
【０１５２】
第二級又は第三級立体障害性アミンの製造は、例えば米国特許出願公開第４，２３３，４１２号明細書、米国特許第４，３４０，５３４号明細書、国際公開第９８／５１，６９０号パンフレット、米国特許出願公開第５，６７９，７３３号明細書、米国特許出願公開第３，６４０，９２８号明細書、米国特許出願公開第４，１９８，３３４号明細書、米国特許出願公開第５，２０４，４７３号明細書、米国特許出願公開第４，６１９，９５８号明細書、米国特許出願公開第４，１１０，３０６号明細書、米国特許出願公開第４，１１０，３３４号明細書、米国特許出願公開第４，６８９，４１６号明細書、米国特許出願公開第４，４０８，０５１号明細書、ＳＵ−Ａ−７６８，１７５（ダーウェント（Ｄｅｒｗｅｎｔ）８８−１３８，７５１／２０）、米国特許出願公開第５，０４９，６０４号明細
書、米国特許出願公開第４，７６９，４５７号明細書、米国特許出願公開第４，３５６，３０７号明細書、米国特許出願公開第４，６１９，９５６号明細書、米国特許出願公開第５，１８２，３９０号明細書、英国特許出願公開第２，２６９，８１９号明細書、米国特許出願公開第４，２９２，２４０号明細書、米国特許出願公開第５，０２６，８４９号明細書、米国特許出願公開第５，０７１，９８１号明細書、米国特許出願公開第４，５４７，５３８号明細書及び米国特許出願公開第４，９７６，８８９号明細書、米国特許出願公開第４，０８６，２０４号明細書、米国特許出願公開第６，０４６，３０４号明細書、米国特許出願公開第４，３３１，５８６号明細書、米国特許出願公開第４，１０８，８２９号明細書、米国特許出願公開第５，０５１，４５８、国際公開第９４／１２，５４４号パンフレット（ダーウェント  ９４−１７７，２７４／２２）、ＤＤ−Ａ−２６２，４３９（ダーウェント  ８９−１２２，９８３／１７）、米国特許出願公開第４，８５７，５９５号明細書、米国特許出願公開第４，５２９，７６０号明細書、米国特許出願公開第４，４７７，６１５号明細書及びＣＡＳ１３６，５０４−９６−６に記載されている。
【０１５３】
上記に記載されるような可逆熱変色性系もしくは組成物又は式（ＩＩ）ないし（ＶＩ）で表される化合物又はそれら互変異性体の１種は、電化製品又は機器において温度変化を示すために使用し得る。温度変化は、ヒトの眼によって又は光学機器によって評価され得る変色をもたらし、効果的な信号に到る。
【０１５４】
上記に記載されるような可逆熱変色性系もしくは組成物又は式（ＩＩ）ないし（ＶＩ）で表される化合物又はそれらの互変異性体の１種の適用は、家庭用電化製品の市場にある。安全上の理由で、特定の機器の加熱された部分が、異なる及び明らかに識別可能な色の外観により証明される必要性がしばしばある。
【０１５５】
例えば、小さい電化製品において、高温が製品そのものの一部分もしくはラベルの違う色によって示されるような、やかん、パーコレータ、トースター、室内用グリル、スロークッカー、フードスチーマ、ワッフルメーカー、真空包装システム、揚げ鍋、天ぷら鍋、アイロン及び炊飯器にこのことは多くの場合望ましい。前記部分又はラベルは取り替えることができるので、変色の効果がもはや目に見えないときには、オリジナルのパッケージの中又は販売業者で入手可能な新しいものに交換することがきる。
【０１５６】
これらの熱変色性系もしくは組成物又は式（ＩＩ）ないし（ＶＩ）で表される化合物又はそれら互変異性体の１種は、高温が製品そのものの一部分もしくはラベルの違う色によって示されるような、レンジ上面、乾燥機、オーブン、スペースヒータ、蒸気清浄機、食器洗浄機、冷蔵庫、冷凍庫及び洗濯機のような大きい電化製品において使用し得る。
【０１５７】
可逆熱変色性系もしくは組成物又は式（ＩＩ）ないし（ＶＩ）で表される化合物又はそれら互変異性体の１種の適用は、家庭用電化製品のプラスチック部分への組み込みに限られるものでなく、同じように多くの他の状況において適用されることが見出され得る：例えば
・作物の生長及び収穫に積極的に効果を及ぼすための、光調節用目的農業カバー  、
・印刷システムにおいて又は色変化積層材、所望によりマイクロカプセル化組成  物として使用される、一般的なインク、
・装飾的な及び流行性を有する服飾品用の及びブランド保護を含む、機能特性を  有する服飾品及び非服飾品用の、一般的な繊維及び布（織布及び不織布の両方  ）、
・製品から魅力及び楽しさを増すための衣服及び成形品用の布を含む、玩具
・温度指示器（“熱過ぎる”：製品は冷やされなければならない、又は、“ちょ  うどいい温度”：製品は消費のために最高の状態である）としての、食品及び  非食品包装
・タグ、カード又はラベルに隠されたメッセージのような販売促進アイテム；温  冷飲料用スプーン、ストロー又は攪拌棒。
【実施例】
【０１５８】
特に指定の無い限り、全ての％、部及び比は、質量％、質量部及び質量比である。
ｒ．ｔ．  室温（２０ないし２５℃）
ｇ        グラム
【０１５９】
化合物実施例
実施例１
【化２６】
2009525357.tif 000027
２，４−ペンタンジオン（０．１ｍｏｌ）１０ｇ、トリブチルボラート（０．２ｍｏｌ）４６ｇ、三酸化ホウ素（０．１４ｍｏｌ）１０．０ｇ及び４−ヒドロキシ−３−メトキシベンズアルデヒド（０．２ｍｏｌ）を、ジメチルアセトアミド５０ｍＬと混合した。該混合物を、８０℃に１時間温めた。３０℃に冷却後、ｎ−ブチルアミン３．０ｇを反応混合物に添加した。３０℃で５時間後、反応物を水６００ｍＬ、酢酸６０ｍＬ及びキシレン６０ｍＬの混合物に注いだ。沈殿物を得て、固体をろ過し、洗浄しそして乾燥した。生成物２９．３ｇを回収した；収率８０％。
【化２７】
2009525357.tif 000028
【０１６０】
実施例２
【化２８】
2009525357.tif 000029
水酸化カリウム（０．８２ｍｏｌ）５５ｇを、メタノール３００ｍＬに溶解し、ＴＨＦ１２０ｍＬを添加した。４−ヒドロキシ−３−メトキシベンズアルデヒド（０．６６ｍｏｌ）１００ｇ及びアセトン（１．７ｍｏｌ）１００ｇを前の溶液に添加した。該混合物を熱し、窒素下で１６時間還流した。その後、酢酸５６ｇを、２０℃で反応混合物に添加した。該混合物を回転蒸発器で濃縮し、そして残留物をジクロロメタンで回収し、そして水で洗浄した。有機層を濃縮し、そして粗生成物をジクロロベンゼンから結晶化した。固体９５ｇを得た、収率７５％。
【化２９】
2009525357.tif 000030
【０１６１】
実施例３
【化３０】
2009525357.tif 000031
水酸化カリウム（０．２０ｍｏｌ）１４ｇを、メタノール７５ｍＬに溶解し、４−ヒドロキシ−３−メトキシベンズアルデヒド（０．１６ｍｏｌ）２５ｇを添加した。アセトフェノン（０．２５ｍｏｌ）３０ｇ及びＴＨＦ７５ｍＬを添加し、混合物を加熱し、２０時間還流した。室温まで冷却後、酢酸１５ｇを反応混合物に添加した。該混合物を回転蒸発器で濃縮し、ジクロロメタンで回収し、そして炭酸カリウム及び水の溶液で洗浄した。有機層を回転蒸発器で濃縮し、そして固体をイソプロピルエーテルで洗浄した。固体１９ｇを得た、収率４６％。
【化３１】
2009525357.tif 000032
【０１６２】
実施例４
【化３２】
2009525357.tif 000033
水酸化カリウム（０．２０ｍｏｌ）１４ｇを、メタノール７５ｍＬ中で溶解し、４−ヒドロキシ−３−メトキシベンズアルデヒド（０．１６ｍｏｌ）２５ｇを添加した。２−アセチルナフタレン（０．２１ｍｏｌ）３６ｇ及びＴＨＦ７５ｍＬを添加した、該混合物を加熱し、２０時間還流した。実施例３のように行い、生成物２０ｇを得た、収率４４％。
【化３３】
2009525357.tif 000034
【０１６３】
実施例５
【化３４】
2009525357.tif 000035
１，４−ジアセチルベンゼン（０．０７４ｍｏｌ）１２ｇ、バニリン（０．２３ｍｏｌ）３５ｇ、メタノール１００ｍＬ及び硫酸０．１５ｍＬを、フラスコに入れた。混合物を加熱し、窒素下で４０時間還流した。冷却後得られた沈殿物をろ過した。生成物２０ｇを得た：収率６３％。
【化３５】
2009525357.tif 000036
【０１６４】
実施例６
【化３６】
2009525357.tif 000037
酢酸（３３％）中、４−ヒドロキシアセトフェノン（０．１３ｍｏｌ）１８ｇ、バニリン（０．２ｍｏｌ）３０ｇ、メタノール１５０ｍＬ及び臭化水素５ｍＬを、フラスコに入れた。混合物を加熱し、８時間還流した。その後、トリ−ｎ−ブチルボラート（０．１５ｍｏｌ）３５ｇを反応混合物に添加し、そして該反応物を１２時間還流で保持した。冷却後、生じた沈殿物をろ過し、そしてジイソプロピレンから結晶化した。生成物２６ｇを得た、収率７３％。
【化３７】
2009525357.tif 000038
【０１６５】
実施例７
【化３８】
2009525357.tif 000039
酢酸（３３％）中、４−クロロアセトフェノン（０．２ｍｏｌ）３１ｇ、バニリン（０．１ｍｏｌ）１５．２ｇ及び臭化水素５ｍＬを混合し、そして３時間、２５℃まで温めた。その後、トリ−ｎ−ブチルボラート（０．１５ｍｏｌ）３５ｇを添加し、反応物を、４５℃まで２時間温めた。２０℃まで冷却後、炭酸水素カリウムを、酸性触媒を中和するために添加し、そして水及びトルエンを添加した。有機層を単離し、そして水酸化カリウム８ｇで洗浄した、水性相を分離し、酸性にして、そしてジクロロメタンで洗浄した。有機相を単離し、そして回転蒸発器で濃縮し、粗生成物をジイソプロピルエーテルから結晶化した。生成物１８．６ｇを得た、収率６４％。
【化３９】
2009525357.tif 000040
【０１６６】
実施例８
【化４０】
2009525357.tif 000041
酢酸中、４−ヒドロキシアセトフェノン（０．０９６ｍｏｌ）１３．０ｇ、Ｎ，Ｎ−ジメチル−ｐ−アミノベンズアルデヒド（０．１９ｍｏｌ）２８．０ｇ及び臭化水素の３３％溶液６０ｇを、フラスコに入れ、そして５０℃まで２０時間温めた。生じた沈殿物をろ過し、そして水及びジクロロメタン中で懸濁し、炭酸カリウムをｐＨが塩基性になるまで添加した。有機層を水で洗浄し、そして濃縮し、得られた粗生成物をキシレンから結晶化した。生成物１４．３ｇを得た、収率５６％。
【化４１】
2009525357.tif 000042
【０１６７】
実施例９
【化４２】
2009525357.tif 000043
水酸化カリウム（０．１１ｍｏｌ）７．７ｇをメタノール１００ｍＬに溶解し、４−ヒドロキシアセトフェノン（０．１ｍｏｌ）１３．６ｇ及びｐ−ニトロベンズアルデヒド２２．６ｇを添加した。混合物を加熱し、２０時間還流した。２０℃に冷却後、反応物を酢酸で中和し、そして沈殿物を得た。この固体をろ過し、メタノールで洗浄し、そして乾燥した。生成物１１．２ｇを得た；収率４３％。
【化４３】
2009525357.tif 000044
【０１６８】
実施例１０
【化４４】
2009525357.tif 000045
水酸化カリウム（０．０３ｍｏｌ）１．９ｇを、メタノール１５０ｍＬ中で溶解し、実施例２の化合物（０．０３ｍｏｌ）５．０ｇ及び３−ニトロベンズアルデヒド（０．０３ｍｏｌ）３．９ｇを添加した。混合物を、窒素下で６０℃に温めた。１０時間後、反応物を冷却し、そして酢酸で中和した。混合物を回転蒸発器で濃縮し、そして残留物をジクロロメタンで回収した。溶液を水で洗浄し、そして有機層を分離及び濃縮した。得られた固体を、メタノールから結晶化した。生成物６．２ｇを得た；収率７３％。
【化４５】
2009525357.tif 000046
【０１６９】
応用例
実施例１１
配合物１：該配合物の総量の０．１％に相当する、実施例１の化合物０．３ｇ、及び０．５％に相当する、ポリ［［６−［（１，１，３，３−テトラメチルブチル）アミノ］−１，３，５−トリアジン−２，４−ジイル］［（２，２，６，６−テトラメチル−４−ピペリジニル）イミノ］−１，６−ヘキサンジイル［２，２，６，６−テトラメチル−４−ピペリジニル）イミノ］］（塩基１）１．５ｇを、メルトインデックス１．８（２３０℃及び２．１６Ｋｇで測定した）を有するポリプロピレン粉末（バセル（Ｂａｓｅｌｌ）社製モプレン（Ｍｏｐｌｅｎ）ＨＰ５００Ｈ）２９８．８ｇとともにターボミキサー中で混合した。
混合物を、次に２ｍｍ厚のプラークに転換されるポリマー顆粒を与えるために実験室規模の二軸スクリュー押出機（ＯＭＣ、直径１９ｍｍ、Ｌ／Ｄ＝２５）を使用して、１９０ないし２３０℃で押出し、プレス成形機（パサデナ（Ｐａｓａｄｅｎａ）Ｐ２１０Ｃ）を使用して、２４０℃の最高温度及び圧力３２３バールで操作した。
同じ手順を、配合物１と下記の違いを有する、配合物２ないし６に適用した：
配合物２：実施例１の代わりに実施例５の化合物
配合物３：実施例１の代わりに実施例３の化合物
配合物４：実施例１の代わりに実施例４の化合物
配合物５：塩基１の代わりに、ビス（２，２，６，６−テトラメチル−４−ピペリジル）セバケート（塩基２）
配合物６：実施例１の化合物及び塩基１に加えて二酸化チタン（Ｋｒｏｎｏｓ  Ｔｉｔａｎ）；配合物の荷重量は、実施例１の化合物、塩基１、二酸化チタン及びポリプロピレン粉末それぞれに対して０．３、１．５、０．３及び２９７．９ｇであった；二酸化チタンの量は配合物の総量の０．１％に相当した。
このように製造したプラークは変色を誘導するために、色の変わる温度より高い１００℃で、シリコン油浴に浸した。色の変化を視覚的に評価し、そして以下の表に記録した。
【表１】
2009525357.tif 000047
対照配合物のいくつかを、配合物１ないし６と同じ方法で製造した：
配合物１ｂ：塩基１が無い以外は配合物１と同じ。
配合物２ｂ：塩基１が無い以外は配合物２と同じ。
室温で配合物１ｂ及び２ｂは、視覚的に１００℃における配合物１及び２と同じ色をそれぞれ有し、このように４つの配合物の比色データは熱変色性作用に起因する変色を定量化するために比較し得る。その値を、ＣＩＥＬ*ａ*ｂ*比色空間を考慮しながらミノルタ
色彩計ＣＭ−５０８ｄを使用して測定した。関連する値を、以下の表に記録した。
【表２】
2009525357.tif 000048
配合物１及び１ｂ並びに２及び２ｂの間の比色値の大きな変化は、それぞれ温度とともにプラークの色がどれほど効率的に変わるかを示す。室内の周辺光の下に置いた全ての配合物は、何ヶ月ももとの色を保った。
【０１７０】
実施例１２
配合物１及び２に、繰り返される加熱−冷却サイクル（疲労）の下で、熱変色性作用維持を試験するために下記の実験をした。自動化システムを用いて、式１及び２のプラークを９５℃に保たれたシリコン油浴に３０分間浸し、次に引き上げそして室温でさらに３０分間冷まし、この後、プラークを再び浸し、そして前記サイクルを１００回以上繰り返した。熱変色性変化は１００サイクル以上後もあらわれた。
【０１７１】
実施例１３
配合物７：配合物の総量０．１％に相当する、実施例９の化合物１．２ｇ、及び０．５％に相当する、ポリ［［６−［（１，１，３，３−テトラメチルブチル）アミノ］−１，３，５−トリアジン−２，４−ジイル］［（２，２，６，６−テトラメチル−４−ピペリジニル）イミノ］−１，６−ヘキサンジイル［２，２，６，６−テトラメチル−４−ピペリジニル）イミノ］］（塩基１）６．０ｇを、メルトインデックス１．８（２３０℃及び２．１６Ｋｇで測定した）を有するポリプロピレン粉末（バセル（Ｂａｓｅｌｌ）社製モプレン（Ｍｏｐｌｅｎ）ＨＰ５００Ｈ）１１９２．８ｇとともにターボミキサー中で混合した。
配合物８：対照配合物を上記と同じ方法により製造し、該配合物は塩基１が無い以外は配合物７と同じである。
混合物を、次に２ｍｍ厚のプラークに転換されるポリマー顆粒を与えるために実験室規模の二軸スクリュー押出機（ＯＭＣ、直径１９ｍｍ、Ｌ／Ｄ＝２５）を使用して、１９０ないし２３０℃で押出し、注入成形機（ネグリボッシ（Ｎｅｇｒｉ  Ｂｏｓｓｉ）、直径２８ｍｍ、Ｌ／Ｄ＝２２）を使用して、２３０℃の最高温度で操作した。
変色を誘導するためにこのように製造されたプラークは、色の変わる温度より高い１４０℃で、シリコン油浴に浸した。色の変化を視覚的に評価し、そして以下の表に記録した。
【表３】
2009525357.tif 000049
配合物８は、視覚的に１４０℃における配合物７と同じ色を有し、このように２つの配合物の測色データは熱変色性作用に起因する変色を定量化するために比較し得る。その値を、ＣＩＥＬ*ａ*ｂ*比色空間を考慮しながらミノルタ色彩計ＣＭ−５０８ｄを使用して
測定した。関連する値を、以下の表に記録した。
【表４】
2009525357.tif 000050
配合物７及び８の間の比色値の大きな差異は、温度とともにいかに効果的にプラークの色が変色するかを示す。
最後に配合物７及び８に、実験２に記載された実験で１２０℃に保たれたシリコン油浴をするという点が相違する実験を行った。この方法で、数サイクル後にプラークが変色を示すことで、全ての熱変色性サイクルを達成した。
【国際調査報告】
2009525357.tif 000063
2009525357.tif 000064
2009525357.tif 000065